(57)【要約】【課題】遊技者が意図しない設定変更を防止する。【解決手段】ＲＡＭの所定領域に格納されたカスタマイズ設定情報や出力量設定情報などの設定情報に応じて演出の態様を変化させる。例えば特別図柄や飾り図柄の可変表示といった、所定の遊技が実行されているときでも、所定操作による設定変更の操作を受け付ける。一方、例えばボタン操作の予告演出やレバー操作の予告演出といった、所定の操作手段に対する操作に応じた操作演出が実行される場合には、設定変更の操作を受け付けないように制限を設ける。遊技における演出が所定態様となるまでの期間では、設定変更の操作を受け付ける。操作演出の実行が終了してから所定時間が経過したときに、設定変更の操作を受け付けないようにした制限を解除する。【選択図】図１８
2015080586.tif 000002
【特許請求の範囲】
【請求項１】
遊技を行うための遊技機であって、
遊技者による操作が可能な操作手段と、
遊技の進行に応じた演出の実行を制御する演出制御手段と、
遊技者が設定可能な演出の実行に関する設定情報を保持する設定保持手段と、
前記遊技の進行に応じた演出の実行中に、前記操作手段に対する操作に応じて前記設定情報を変更する設定変更操作を受け付ける設定変更受付手段とを備え、
前記演出制御手段は、前記設定保持手段に保持されている前記設定情報に応じた制御を行って演出を実行し、
前記遊技の進行に応じた演出として前記操作手段に対する操作に応じた操作演出が実行される場合に、前記設定変更操作の受け付けに制限を設ける設定変更制限手段をさらに備える、
ことを特徴とする遊技機。
【発明の詳細な説明】
【技術分野】
【０００１】
本発明は、遊技を行うための遊技機に関する。
【背景技術】
【０００２】
遊技機の一例として、遊技球などの遊技媒体を発射装置によって遊技領域に発射し、遊技領域に設けられている入賞口などの入賞領域に遊技媒体が入賞したことに基づいて、所定の遊技価値を付与可能としたパチンコ遊技機がある。また、遊技機の他の一例として、メダルやコイン、あるいは、パチンコ遊技機と同様の遊技球といった遊技媒体を用いて１ゲームに対する所定数の賭数を設定した後、遊技者がスタートレバーを操作することにより可変表示装置による表示図柄の可変表示を開始し、導出された表示結果に基づいて所定の遊技価値を付与可能としたスロットマシンがある。
【０００３】
こうした遊技機において、遊技動作中も操作可能な操作部を設け、遊技者による操作に応じて演出動作の全部又は一部を変更するものが提案されている（例えば特許文献１）。
【先行技術文献】
【特許文献】
【０００４】
【特許文献１】特開２００９−１６５７７０号公報
【発明の概要】
【発明が解決しようとする課題】
【０００５】
特許文献１に記載の技術では、遊技動作中に操作部が操作されたことに応じて、遊技者が意図しない設定変更が行われてしまうおそれがある。
【０００６】
この発明は、上記実状に鑑みてなされたものであり、遊技者が意図しない設定変更を防止する遊技機の提供を目的とする。
【課題を解決するための手段】
【０００７】
（１）上記目的を達成するため、本願発明に係る遊技機は、遊技を行うための遊技機（例えばパチンコ遊技機１など）であって、遊技者による操作が可能な操作手段（例えばスティックコントローラ３０やプッシュボタン３１Ｂなど）と、遊技の進行に応じた演出の実行を制御する演出制御手段（例えば演出制御用ＣＰＵ１２０など）と、遊技者が設定可能な演出の実行に関する設定情報を保持する設定保持手段（例えばＲＡＭ１２２など）と、前記遊技の進行に応じた演出の実行中に、前記操作手段に対する操作に応じて前記設定情報を変更する設定変更操作を受け付ける設定変更受付手段（例えばステップＳ２０４Ｂ、Ｓ２２５の処理を実行する演出制御用ＣＰＵ１２０など）とを備え、前記演出制御手段は、前記設定保持手段に保持されている前記設定情報に応じた制御を行って演出を実行し（例えばステップＳ２０５、Ｓ２１１、Ｓ２２６の処理を実行する部分など）、前記遊技の進行に応じた演出として前記操作手段に対する操作に応じた操作演出（例えば予告演出種別が「ボタン操作」や「レバー操作」に含まれる予告演出など）が実行される場合に、前記設定変更操作の受け付けに制限を設ける設定変更制限手段（例えばステップＳ４０２、Ｓ４２２の処理を実行した後に、ステップＳ２０４Ａ、Ｓ２２３の処理を実行する演出制御用ＣＰＵ１２０など）をさらに備える。
このような構成によれば、操作手段に対する操作に応じた操作演出が実行される場合に、設定変更操作の受け付けに制限を設けることで、遊技者が意図しない設定変更を防止できる。
【０００８】
（２）上記（１）の遊技機において、前記遊技の進行に応じた演出が所定態様となるまでの期間（例えばステップＳ４０２、Ｓ４２２の処理が実行されるまでの期間など）において、前記設定変更制限手段による制限を設けずに前記設定変更操作を受け付けるように構成されてもよい。
このような構成においては、設定変更操作により遊技における演出が妨げられることを防止できる。
【０００９】
（３）上記（１）または（２）の遊技機において、前記操作演出の実行が終了してから所定時間が経過したときに、前記設定変更制限手段による制限を解除する制限解除手段（例えばステップＳ２２９の処理を実行する演出制御用ＣＰＵ１２０など）を備えるように構成されてもよい。
このような構成においては、操作演出の実行に伴い設定変更操作が誤って受け付けられることを防止できる。
【００１０】
（４）上記（１）から（３）のいずれかの遊技機において、前記設定変更操作を受け付けた旨を表示装置の所定領域（例えば出力量設定表示エリア５Ｊやモード設定表示エリア５Ｋなど）にて表示する表示制御手段（例えば演出制御用ＣＰＵ１２０や表示制御部１２３など）を備え、前記演出制御手段は、前記遊技の進行に応じた演出を前記所定領域以外の領域にて実行する（例えば図２１を参照）ように構成されてもよい。
このような構成においては、演出が妨げられることなく設定変更操作を受け付けた旨を認識させることができる。
【００１１】
（５）上記（１）から（４）のいずれかの遊技機において、前記操作手段は、第１操作手段（例えばスティックコントローラ３０など）と該第１操作手段とは異なる第２操作手段（例えばプッシュボタン３１Ｂなど）とを含み、前記設定変更受付手段は、前記第１操作手段に対する操作に応じて前記設定変更操作を受け付け（例えば図２０（Ｂ）を参照）、前記設定変更制限手段は、前記第２操作手段に対する操作に応じた操作演出が実行される場合に、前記設定変更操作の受け付けに制限を設ける（例えばステップＳ３３３のボタン操作予告演出制御処理にてステップＳ４０２の処理を実行する部分など）ように構成されてもよい。
このような構成においては、操作演出の実行に伴い設定変更操作が誤って受け付けられることを防止できる。
【００１２】
（６）上記（１）から（５）のいずれかの遊技機において、前記演出制御手段は、前記設定保持手段により保持されている前記設定情報に応じて演出装置の出力量を制御する出力量制御手段（例えばステップＳ２２６の処理を実行する演出制御用ＣＰＵ１２０など）を含むように構成されてもよい。一例として、出力量制御手段は、設定保持手段により保持されている設定情報に応じた音声出力装置（例えばスピーカ８Ｌ、８Ｒなど）の音量制御を行って演出を実行してもよい。他の一例として、出力量制御手段は、設定保持手段により保持されている設定情報に応じた発光装置（例えば遊技効果ランプ９および装飾用ＬＥＤなど）の光量制御を行って演出を実行してもよい。
このような構成においては、演出装置の出力量を好適に設定することができる。
【００１３】
（７）上記（１）から（６）のいずれかの遊技機において、前記設定保持手段により保持されている前記設定情報に応じて特典演出の実行制御（例えば演出カスタマイズなど）を有効化または無効化する特典演出実行制御手段（例えばステップＳ７５の演出カスタマイズ処理を実行する演出制御用ＣＰＵ１２０など）を備えるように構成されてもよい。
このような構成においては、特典演出の実行制御を好適に設定することができる。
【００１４】
（８）上記（１）から（７）のいずれかの遊技機において、前記設定保持手段により保持されている前記設定情報による設定変更を許容するか否かを設定する変更設定手段（例えば設定切替スイッチ３００など）を備えるように構成されてもよい。
このような構成においては、遊技者による設定変更の許否を好適に設定することができる。
【図面の簡単な説明】
【００１５】
【図１】この実施の形態におけるパチンコ遊技機の正面図である。
【図２】パチンコ遊技機に搭載された各種の制御基板などを示す構成図である。
【図３】パチンコ遊技機を背面から見たときの内部構成例を示す構成図である。
【図４】演出制御基板における設定切替スイッチの配置例を示す図である。
【図５】設定切替スイッチの構成例を示す図である。
【図６】特別図柄プロセス処理の一例を示すフローチャートである。
【図７】特図表示結果や大当り種別の決定例を示す図である。
【図８】変動パターンの構成例や決定例を示す図である。
【図９】演出制御メイン処理の一例を示すフローチャートである。
【図１０】演出カスタマイズ処理の一例を示すフローチャートである。
【図１１】演出制御プロセス処理の一例を示すフローチャートである。
【図１２】可変表示開始設定処理の一例を示すフローチャートである。
【図１３】予告演出種別の決定例や設定例を示す図である。
【図１４】可変表示中演出処理の一例を示すフローチャートである。
【図１５】ボタン操作予告演出制御処理の一例を示すフローチャートである。
【図１６】リーチ演出制御処理の一例を示すフローチャートである。
【図１７】演出出力設定処理の一例を示すフローチャートである。
【図１８】ボタン操作の予告演出が実行される場合の演出制御例を示す図である。
【図１９】リーチ演出が実行される場合の演出制御例を示す図である。
【図２０】変更制限フラグオフ時の表示例を示す図である。
【図２１】ボタン操作の予告実行時の表示例を示す図である。
【発明を実施するための形態】
【００１６】
以下、図面を参照しつつ、本発明の一実施形態を説明する。図１は、本実施の形態におけるパチンコ遊技機の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、ガイドレールによって囲まれた、ほぼ円形状の遊技領域が形成されている。この遊技領域には、遊技媒体としての遊技球が、所定の打球発射装置から発射されて打ち込まれる。
【００１７】
遊技盤２の所定位置に設けられた第１特別図柄表示装置４Ａおよび第２特別図柄表示装置４Ｂでは、それぞれ、複数種類の識別情報（特別識別情報）である特別図柄が変動可能に表示（可変表示）される。図１に示す例では、遊技領域の右側方に、第１特別図柄表示装置４Ａと、第２特別図柄表示装置４Ｂとが設けられている。第１特別図柄表示装置４Ａと第２特別図柄表示装置４Ｂはそれぞれ、例えば７セグメントやドットマトリクスのＬＥＤ（発光ダイオード）などから構成されていればよい。複数種類の識別情報となる特別図柄としては、例えば「０」〜「９」を示す数字や「−」を示す記号といった、各々を識別可能な複数種類の図柄が予め用意されていればよい。
【００１８】
なお、第１特別図柄表示装置４Ａや第２特別図柄表示装置４Ｂにおいて表示される特別図柄は、「０」〜「９」を示す数字や「−」を示す記号などから構成されるものに限定されず、例えば７セグメントのＬＥＤにおいて点灯させるものと消灯させるものとの組合せを異ならせた複数種類の点灯パターンが、複数種類の特別図柄として予め設定されていればよい。以下では、第１特別図柄表示装置４Ａにおいて可変表示される特別図柄を「第１特図」ともいい、第２特別図柄表示装置４Ｂにおいて可変表示される特別図柄を「第２特図」ともいう。特別図柄の可変表示は「特図ゲーム」ともいい、可変表示ゲームの一例となる。
【００１９】
遊技盤２に形成された遊技領域の中央付近には、画像表示装置５が設けられ、その画面上にて飾り図柄の可変表示が行われる。画像表示装置５は、例えばＬＣＤ（液晶表示装置）等から構成され、各種の演出画像を表示する表示領域を形成している。画像表示装置５の表示領域には、例えば３つといった複数の可変表示部となる飾り図柄表示エリアが含まれていればよい。このような飾り図柄表示エリアにて、各々を識別可能な複数種類の識別情報（装飾識別情報）である飾り図柄が可変表示される。飾り図柄の可変表示は、特図ゲームにおける第１特別図柄表示装置４Ａによる第１特図の可変表示や第２特別図柄表示装置４Ｂによる第２特図の可変表示のそれぞれに対応して実行され、可変表示ゲームに含まれる。
【００２０】
画像表示装置５の表示領域では、第１特別図柄表示装置４Ａにおける第１特図を用いた特図ゲーム、または、第２特別図柄表示装置４Ｂにおける第２特図を用いた特図ゲームと同期して、各々が識別可能な複数種類の飾り図柄の可変表示を行い、可変表示結果となる確定飾り図柄を導出表示（あるいは単に「導出」ともいう）する。一例として、画像表示装置５の表示領域には、「左」、「中」、「右」の飾り図柄表示エリア５Ｌ、５Ｃ、５Ｒが配置されている。そして、特図ゲームにおいて第１特別図柄表示装置４Ａにおける第１特図の変動と第２特別図柄表示装置４Ｂにおける第２特図の変動のうち、いずれかが開始されることに対応して、「左」、「中」、「右」の各飾り図柄表示エリア５Ｌ、５Ｃ、５Ｒにおいて飾り図柄の変動（例えば上下方向のスクロール表示）が開始される。その後、特図ゲームにおける可変表示結果として確定特別図柄が停止表示されるときに、画像表示装置５における「左」、「中」、「右」の各飾り図柄表示エリア５Ｌ、５Ｃ、５Ｒにて、飾り図柄の可変表示結果となる確定飾り図柄（最終停止図柄）が停止表示される。
【００２１】
なお、例えば特別図柄や飾り図柄といった、各種の表示図柄を導出表示するとは、飾り図柄等の識別情報を停止表示（完全停止表示や最終停止表示ともいう）して可変表示を終了させることである。これに対して、飾り図柄の可変表示を開始してから可変表示結果となる確定飾り図柄が導出表示されるまでの可変表示中には、飾り図柄の変動速度が「０」となって、飾り図柄が停留して表示され、例えば微少な揺れや伸縮などを生じさせる表示状態となることがある。このような表示状態は、仮停止表示ともいい、可変表示における表示結果が確定的に表示されていないものの、スクロール表示や更新表示による飾り図柄の変動が進行していないことを遊技者が認識可能となる。なお、仮停止表示には、微少な揺れや伸縮なども生じさせず、所定時間（例えば１秒間）よりも短い時間だけ、飾り図柄を完全停止表示することなどが含まれてもよい。
【００２２】
「左」、「中」、「右」の各飾り図柄表示エリア５Ｌ、５Ｃ、５Ｒにて可変表示される飾り図柄は、例えば８種類といった、複数種類の図柄を含んで構成される。より具体的に、英数字「１」〜「８」あるいは漢数字や、英文字、所定のモチーフに関連する８個のキャラクタ画像、数字や文字あるいは記号とキャラクタ画像との組合せなどであればよく、キャラクタ画像は、例えば人物や動物、これら以外の物体、もしくは、文字などの記号、あるいは、その他の任意の図形を示す飾り画像であればよい。飾り図柄のそれぞれには、対応する図柄番号が付されている。例えば、「１」〜「８」を示す英数字それぞれに対して、「１」〜「８」の図柄番号が付されている。なお、飾り図柄は８種類に限定されず、大当り組合せやハズレとなる組合せなど適当な数の組合せを構成可能であれば、何種類であってもよい（例えば７種類や９種類など）。
【００２３】
飾り図柄の可変表示が開始された後、可変表示結果となる確定飾り図柄が導出表示されるまでには、「左」、「中」、「右」の各飾り図柄表示エリア５Ｌ、５Ｃ、５Ｒにおいて、例えば図柄番号が小さいものから大きいものへと順次に上方から下方へと流れるようなスクロール表示が行われ、図柄番号が最大（例えば「８」）である飾り図柄が表示されると、続いて図柄番号が最小（例えば「１」）である飾り図柄が表示される。あるいは、飾り図柄表示エリア５Ｌ、５Ｃ、５Ｒのうち少なくともいずれか１つ（例えば「左」の飾り図柄表示エリア５Ｌなど）において、図柄番号が大きいものから小さいものへとスクロール表示を行って、図柄番号が最小である飾り図柄が表示されると、続いて図柄番号が最大である飾り図柄が表示されるようにしてもよい。
【００２４】
画像表示装置５の表示領域には、始動入賞記憶表示エリア５Ｈが配置されて保留記憶表示が行われる。始動入賞記憶表示エリア５Ｈにおける保留記憶表示では、特図ゲームに対応した可変表示の保留数（特図保留記憶数）が特定可能に表示される。特図ゲームに対応した可変表示の保留は、普通入賞球装置６Ａが形成する第１始動入賞口や、普通可変入賞球装置６Ｂが形成する第２始動入賞口を、遊技球が通過（進入）することによる始動入賞に基づいて発生する。すなわち、特図ゲームや飾り図柄の可変表示といった可変表示ゲームを実行するための始動条件（「実行条件」ともいう）は成立したが、先に成立した開始条件に基づく可変表示ゲームが実行中であることやパチンコ遊技機１が大当り遊技状態に制御されていることなどにより、可変表示ゲームの開始を許容する開始条件が成立していないときに、成立した始動条件に対応する可変表示の保留が行われる。
【００２５】
図１に示す第１特別図柄表示装置４Ａおよび第２特別図柄表示装置４Ｂの上部には、始動入賞記憶表示エリア５Ｈとともに特図保留記憶数を特定可能に表示するための表示器として、第１保留表示器２５Ａおよび第２保留表示器２５Ｂが設けられている。第１保留表示器２５Ａは、第１特図保留記憶数を特定可能に表示する。第２保留表示器２５Ｂは、第２特図保留記憶数を特定可能に表示する。第１特図保留記憶数は、第１特図を用いた特図ゲームの実行が保留されている記憶数である。第２特図保留記憶数は、第２特図を用いた特図ゲームの実行が保留されている記憶数である。第１特図保留記憶数と第２特図保留記憶数とを加算した可変表示の保留記憶数は、特に、合計保留記憶数ともいう。単に「特図保留記憶数」というときには、通常、第１特図保留記憶数、第２特図保留記憶数及び合計保留記憶数のいずれも含む概念を指すが、特に、これらの一部（例えば第１特図保留記憶数と第２特図保留記憶数を含む一方で合計保留記憶数は除く概念）を指すこともあるものとする。
【００２６】
画像表示装置５の下方には、普通入賞球装置６Ａと、普通可変入賞球装置６Ｂとが設けられている。普通入賞球装置６Ａは、例えば所定の玉受部材によって常に一定の開放状態に保たれる始動領域（第１始動領域）としての第１始動入賞口を形成する。普通可変入賞球装置６Ｂは、図２に示す普通電動役物用となるソレノイド８１によって、垂直位置となる通常開放状態と傾動位置となる拡大開放状態とに変化する一対の可動翼片を有する電動チューリップ型役物（普通電動役物）を備え、始動領域（第２始動領域）としての第２始動入賞口を形成する。
【００２７】
普通可変入賞球装置６Ｂは、第２始動領域としての第２始動入賞口を遊技球が通過（進入）しやすい第１可変状態としての拡大開放状態と、第２始動入賞口を遊技球が通過（進入）しにくいまたは通過（進入）できない第２可変状態としての通常開放状態とに変化する。一例として、普通可変入賞球装置６Ｂでは、普通電動役物用のソレノイド８１がオフ状態であるときに可動翼片が垂直位置となることにより、遊技球が第２始動入賞口を通過（進入）しがたい通常開放状態となる。その一方で、普通可変入賞球装置６Ｂでは、普通電動役物用のソレノイド８１がオン状態であるときに可動翼片が傾動位置となる傾動制御により、遊技球が第２始動入賞口を通過（進入）しやすい拡大開放状態となる。なお、普通可変入賞球装置６Ｂは、通常開放状態であるときでも、第２始動入賞口には遊技球が進入可能であるものの、拡大開放状態であるときよりも遊技球が進入する可能性が低くなるように構成してもよい。あるいは、普通可変入賞球装置６Ｂは、通常開放状態において、例えば第２始動入賞口を閉鎖することなどにより、第２始動入賞口には遊技球が進入しないように構成してもよい。
【００２８】
第１始動領域としての第１始動入賞口を通過（進入）した遊技球の検出や、第２始動領域としての第２始動入賞口を通過（進入）した遊技球の検出に基づいて、特図ゲームにおける特別図柄の可変表示を実行するための始動条件が成立する。例えば普通入賞球装置６Ａに形成された第１始動入賞口を通過（進入）した遊技球は、図２に示す第１始動口スイッチ２２Ａによって検出される。また、普通可変入賞球装置６Ｂに形成された第２始動入賞口を通過（進入）した遊技球は、図２に示す第２始動口スイッチ２２Ｂによって検出される。第１始動口スイッチ２２Ａによって遊技球が検出されたことに基づき、所定個数（例えば３個）の遊技球が賞球として払い出され、第１特図保留記憶数が所定の上限値（例えば「４」）以下であれば、第１始動条件が成立する。第１始動条件は、第１特別図柄表示装置４Ａによる第１特図を用いた特図ゲームを実行するための始動条件である。第２始動口スイッチ２２Ｂによって遊技球が検出されたことに基づき、所定個数（例えば３個）の遊技球が賞球として払い出され、第２特図保留記憶数が所定の上限値（例えば「４」）以下であれば、第２始動条件が成立する。第２始動条件は、第２特別図柄表示装置４Ｂによる第２特図を用いた特図ゲームを実行するための始動条件である。なお、第１始動口スイッチ２２Ａによって遊技球が検出されたことに基づいて払い出される賞球の個数と、第２始動口スイッチ２２Ｂによって遊技球が検出されたことに基づいて払い出される賞球の個数は、互いに同一の個数であってもよいし、異なる個数であってもよい。
【００２９】
普通入賞球装置６Ａと普通可変入賞球装置６Ｂの下方には、特別可変入賞球装置７が設けられている。特別可変入賞球装置７は、図２に示す大入賞口扉用となるソレノイド８２によって開閉駆動される大入賞口扉を備え、その大入賞口扉によって開放状態と閉鎖状態とに変化する特定領域としての大入賞口を形成する。
【００３０】
特別可変入賞球装置７は、特定領域としての大入賞口を遊技球が通過（進入）しやすく遊技者にとって有利な開放状態と、大入賞口を遊技球が通過（進入）できず遊技者にとって不利な閉鎖状態とに変化する。一例として、特別可変入賞球装置７では、大入賞口扉用のソレノイド８２がオフ状態であるときに大入賞口扉が大入賞口を閉鎖状態として、遊技球が大入賞口を通過（進入）できなくする。その一方で、特別可変入賞球装置７では、大入賞口扉用のソレノイド８２がオン状態であるときに大入賞口扉が大入賞口を開放状態として、遊技球が大入賞口を通過（進入）しやすくする。なお、遊技球が大入賞口を通過（進入）できない閉鎖状態に代えて、あるいは閉鎖状態の他に、遊技球が大入賞口を通過（進入）しにくい一部開放状態を設けてもよい。
【００３１】
大入賞口を通過（進入）した遊技球は、例えば図２に示すカウントスイッチ２３によって検出される。カウントスイッチ２３によって遊技球が検出されたことに基づき、所定個数（例えば１５個）の遊技球が賞球として払い出される。こうして、特別可変入賞球装置７において開放状態となった大入賞口を遊技球が通過（進入）したときには、例えば第１始動入賞口や第２始動入賞口といった、他の入賞口を遊技球が通過（進入）したときよりも多くの賞球が払い出される。したがって、特別可変入賞球装置７において大入賞口が開放状態となれば、その大入賞口に遊技球が進入可能となり、遊技者にとって有利な第１状態となる。その一方で、特別可変入賞球装置７において大入賞口が閉鎖状態となれば、大入賞口に遊技球を通過（進入）させて賞球を得ることが不可能または困難になり、遊技者にとって不利な第２状態となる。
【００３２】
遊技盤２の所定位置（図１に示す例では、遊技領域の左側方）には、普通図柄表示器２０が設けられている。一例として、普通図柄表示器２０は、第１特別図柄表示装置４Ａや第２特別図柄表示装置４Ｂと同様に７セグメントやドットマトリクスのＬＥＤ等から構成され、特別図柄とは異なる複数種類の識別情報である普通図柄（「普図」あるいは「普通図」ともいう）を変動可能に表示（可変表示）する。このような普通図柄の可変表示は、普図ゲーム（「普通図ゲーム」ともいう）と称される。
【００３３】
普通図柄表示器２０の上方には、普図保留表示器２５Ｃが設けられている。普図保留表示器２５Ｃは、例えば４個のＬＥＤを含んで構成され、通過ゲート４１を通過した有効通過球数としての普図保留記憶数を表示する。
【００３４】
遊技盤２の表面には、上記の構成以外にも、遊技球の流下方向や速度を変化させる風車及び多数の障害釘が設けられている。また、第１始動入賞口、第２始動入賞口及び大入賞口とは異なる入賞口として、例えば所定の玉受部材によって常に一定の開放状態に保たれる単一または複数の一般入賞口が設けられてもよい。この場合には、一般入賞口のいずれかに進入した遊技球が所定の一般入賞球スイッチによって検出されたことに基づき、所定個数（例えば１０個）の遊技球が賞球として払い出されればよい。遊技領域の最下方には、いずれの入賞口にも進入しなかった遊技球が取り込まれるアウト口が設けられている。
【００３５】
遊技機用枠３の左右上部位置には、効果音等を再生出力するためのスピーカ８Ｌ、８Ｒが設けられており、さらに遊技領域周辺部には、遊技効果ランプ９が設けられている。パチンコ遊技機１の遊技領域における各構造物（例えば普通入賞球装置６Ａ、普通可変入賞球装置６Ｂ、特別可変入賞球装置７等）の周囲には、装飾用ＬＥＤが配置されていてもよい。遊技機用枠３の右下部位置には、遊技媒体としての遊技球を遊技領域に向けて発射するために遊技者等によって操作される打球操作ハンドル（操作ノブ）が設けられている。例えば、打球操作ハンドルは、遊技者等による操作量（回転量）に応じて遊技球の弾発力を調整する。打球操作ハンドルには、打球発射装置が備える発射モータの駆動を停止させるための単発発射スイッチや、タッチリング（タッチセンサ）が設けられていればよい。
【００３６】
遊技領域の下方における遊技機用枠３の所定位置には、賞球として払い出された遊技球や所定の球貸機により貸し出された遊技球を、打球発射装置へと供給可能に保持（貯留）する上皿（打球供給皿）が設けられている。遊技機用枠３の下部には、上皿から溢れた余剰球などを、パチンコ遊技機１の外部へと排出可能に保持（貯留）する下皿が設けられている。
【００３７】
下皿を形成する部材には、例えば下皿本体の上面における手前側の所定位置（例えば下皿の中央部分）などに、遊技者が把持して傾倒操作が可能なスティックコントローラ３０が取り付けられている。スティックコントローラ３０は、遊技者が把持する操作桿（レバー）を含み、操作桿の所定位置（例えば遊技者が操作桿を把持したときに操作手の人差し指が掛かる位置など）には、トリガボタン３１Ａが設けられている。トリガボタン３１Ａは、遊技者がスティックコントローラ３０の操作桿を操作手（例えば左手など）で把持した状態において、所定の操作指（例えば人差し指など）で押引操作することなどにより所定の指示操作ができるように構成されていればよい。操作桿の内部には、トリガボタン３１Ａに対する押引操作などによる所定の指示操作を検知するトリガセンサ３５Ａ（図２を参照）が内蔵されていればよい。スティックコントローラ３０の下部における下皿の本体内部などには、操作桿に対する傾倒操作（レバー操作）を検知する傾倒方向センサユニット３２が設けられていればよい。傾倒方向センサユニット３２は、透過形フォトセンサなどを含んで構成され、操作桿のレバー傾倒方向（例えば、前後左右方向）を検知するものであればよい。なお、下皿におけるスティックコントローラ３０の取付位置は、下皿の中央部分に限定されず、左右のいずれかに寄せた位置であってもよい。
【００３８】
上皿を形成する部材には、例えば上皿本体の上面における手前側の所定位置（例えばスティックコントローラ３０の上方）などに、遊技者が押下操作などにより所定の指示入力を可能なプッシュボタン３１Ｂが設けられている。プッシュボタン３１Ｂは、遊技者からの押下操作などによる所定の指示操作を、機械的、電気的、あるいは、電磁的に、検出できるように構成されていればよい。プッシュボタン３１Ｂの設置位置における上皿の本体内部などには、プッシュボタン３１Ｂに対してなされた遊技者の操作行為を検知するプッシュセンサ３５Ｂ（図２を参照）が設けられていればよい。このように、プッシュボタン３１Ｂは、スティックコントローラ３０とは別個の所定位置に設けられており、遊技者がスティックコントローラ３０の操作桿を把持しない状態などにおいて指示操作ができるように構成されている。
【００３９】
パチンコ遊技機１には、例えば図２に示すような主基板１１、演出制御基板１２、音声制御基板１３、ランプ制御基板１４、払出制御基板３７といった、各種の制御基板が搭載されている。また、パチンコ遊技機１には、主基板１１と演出制御基板１２との間で伝送される各種の制御信号を中継するための中継基板１５なども搭載されている。その他にも、パチンコ遊技機１における遊技盤などの背面には、例えば情報端子基板、発射制御基板、インタフェース基板、タッチセンサ基板などといった、各種の基板が配置されている。また、パチンコ遊技機１には、各基板などに電力を供給する電源基板９０（図３）なども搭載されている。
【００４０】
主基板１１は、メイン側の制御基板であり、パチンコ遊技機１における遊技の進行を制御するための各種回路が搭載されている。主基板１１は、主として、特図ゲームにおいて用いる乱数の設定機能、所定位置に配設されたスイッチ等からの信号の入力を行う機能、演出制御基板１２や払出制御基板３７などからなるサブ側の制御基板に宛てて、指令情報の一例となる制御コマンドを制御信号として出力して送信する機能、ホール（遊技店、遊技場）の管理コンピュータに対して各種情報を出力する機能などを備えている。また、主基板１１は、第１特別図柄表示装置４Ａと第２特別図柄表示装置４Ｂを構成する各ＬＥＤ（例えばセグメントＬＥＤ）などの点灯／消灯制御を行って第１特図や第２特図の可変表示を制御することや、普通図柄表示器２０の点灯／消灯／発色制御などを行って普通図柄表示器２０による普通図柄の可変表示を制御することといった、所定の表示図柄の可変表示を制御する機能も備えている。
【００４１】
主基板１１には、例えば遊技制御用マイクロコンピュータ１００や入力ドライバ回路１１０、ソレノイド回路１１１などが搭載されている。入力ドライバ回路１１０は、遊技球検出用の各種スイッチからの検出信号を取り込んで遊技制御用マイクロコンピュータ１００に伝送する。ソレノイド回路１１１は、遊技制御用マイクロコンピュータ１００からのソレノイド駆動信号を、普通電動役物用のソレノイド８１、大入賞口扉用のソレノイド８２へと伝送する。
【００４２】
演出制御基板１２は、主基板１１とは独立したサブ側の制御基板であり、中継基板１５を介して主基板１１から伝送された制御信号を受信して、画像表示装置５、スピーカ８Ｌ、８Ｒ、遊技効果ランプ９および装飾用ＬＥＤといった演出用の電気部品による演出動作を制御するための各種回路が搭載されている。すなわち、演出制御基板１２は、画像表示装置５における表示動作や、スピーカ８Ｌ、８Ｒからの音声出力動作の全部または一部、遊技効果ランプ９や装飾用ＬＥＤなどにおける点灯／消灯動作の全部または一部といった、演出用の電気部品に所定の演出動作を実行させるための制御内容を決定する機能を備えている。
【００４３】
音声制御基板１３は、演出制御基板１２とは別個に設けられた音声出力制御用の制御基板であり、演出制御基板１２からの指令や制御データなどに基づき、スピーカ８Ｌ、８Ｒから音声を出力させるための音声信号処理を実行する処理回路などが搭載されている。ランプ制御基板１４は、演出制御基板１２とは別個に設けられたランプ出力制御用の制御基板であり、演出制御基板１２からの指令や制御データなどに基づき、遊技効果ランプ９や装飾用ＬＥＤなどにおける点灯／消灯駆動を行うランプドライバ回路などが搭載されている。払出制御基板３７は、賞球の払出を制御する基板であり、払出制御用マイクロコンピュータが搭載されている。払出制御基板３７は、賞球の払出個数を示すデータが設定された賞球個数コマンドの受信に応じて、球払出装置を駆動して、賞球の払出制御を実行する。賞球個数コマンドは、主基板１１から制御信号として伝送される。
【００４４】
図２に示すように、主基板１１には、ゲートスイッチ２１、第１始動口スイッチ２２Ａ、第２始動口スイッチ２２Ｂ、カウントスイッチ２３からの検出信号を伝送する配線が接続されている。なお、ゲートスイッチ２１、第１始動口スイッチ２２Ａ、第２始動口スイッチ２２Ｂ、カウントスイッチ２３は、例えばセンサ（フォトセンサ、近接スイッチなど）と称されるものなどのように、遊技媒体としての遊技球を検出できる任意の構成を有するものであればよい。また、主基板１１には、第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどの表示制御を行うための指令信号を伝送する配線が接続されている。さらに、主基板１１には、賞球個数コマンドなどを制御信号として払出制御基板３７に伝送する配線などが接続されている。
【００４５】
主基板１１から演出制御基板１２に向けて伝送される制御信号は、中継基板１５によって中継される。中継基板１５を介して主基板１１から演出制御基板１２に対して伝送される制御コマンドは、例えば電気信号として送受信される演出制御コマンドである。演出制御コマンドには、例えば画像表示装置５における画像表示動作を制御するために用いられる表示制御コマンドや、スピーカ８Ｌ、８Ｒからの音声出力を制御するために用いられる音声制御コマンド、遊技効果ランプ９や装飾用ＬＥＤの点灯動作などを制御するために用いられるランプ制御コマンドが含まれている。
【００４６】
主基板１１に搭載された遊技制御用マイクロコンピュータ１００は、例えば１チップのマイクロコンピュータであり、遊技制御用のプログラムや固定データ等を記憶するＲＯＭ（Read Only Memory）１０１と、遊技制御用のワークエリアを提供するＲＡＭ（Random Access Memory）１０２と、遊技制御用のプログラムを実行して制御動作を行うＣＰＵ（Central Processing Unit）１０３と、ＣＰＵ１０３とは独立して乱数値を示す数値データの更新を行う乱数回路１０４と、Ｉ／Ｏ（Input/Output port）１０５とを備えて構成される。
【００４７】
一例として、遊技制御用マイクロコンピュータ１００では、ＣＰＵ１０３がＲＯＭ１０１から読み出したプログラムを実行することにより、パチンコ遊技機１における遊技の進行を制御するための処理が実行される。このときには、ＣＰＵ１０３がＲＯＭ１０１から固定データを読み出す固定データ読出動作や、ＣＰＵ１０３がＲＡＭ１０２に各種の変動データを書き込んで一時記憶させる変動データ書込動作、ＣＰＵ１０３がＲＡＭ１０２に一時記憶されている各種の変動データを読み出す変動データ読出動作、ＣＰＵ１０３がＩ／Ｏ１０５を介して遊技制御用マイクロコンピュータ１００の外部から各種信号の入力を受け付ける受信動作、ＣＰＵ１０３がＩ／Ｏ１０５を介して遊技制御用マイクロコンピュータ１００の外部へと各種信号を出力する送信動作なども行われる。なお、遊技制御用マイクロコンピュータ１００を構成する１チップのマイクロコンピュータは、少なくともＣＰＵ１０３の他にＲＡＭ１０２が内蔵されていればよく、ＲＯＭ１０１や乱数回路１０４、Ｉ／Ｏ１０５などは外付けされてもよい。
【００４８】
遊技制御用マイクロコンピュータ１００では、例えば乱数回路１０４などにより、遊技の進行を制御するために用いられる各種の乱数値を示す数値データが更新可能にカウントされる。遊技の進行を制御するために用いられる乱数は、遊技用乱数ともいう。遊技用乱数は、乱数回路１０４などのハードウェアによって更新されるものであってもよいし、遊技制御用マイクロコンピュータ１００のＣＰＵ１０３が所定のコンピュータプログラムを実行することでソフトウェアによって更新されるものであってもよい。例えば、遊技制御用マイクロコンピュータ１００におけるＲＡＭ１０２の所定領域に設けられたランダムカウンタや、ＲＡＭ１０２とは別個の内部レジスタに設けられたランダムカウンタに、所定の乱数値を示す数値データを格納し、ＣＰＵ１０３が定期的または不定期的に格納値を更新することで、乱数値の更新が行われるようにしてもよい。
【００４９】
遊技制御用マイクロコンピュータ１００が備えるＲＯＭ１０１には、ゲーム制御用のプログラムの他にも、遊技の進行を制御するために用いられる各種の選択用データ、テーブルデータなどが格納されている。例えば、ＲＯＭ１０１には、ＣＰＵ１０３が各種の判定や決定、設定を行うために用意された複数の判定テーブルや決定テーブル、設定テーブルなどを構成するデータが記憶されている。また、ＲＯＭ１０１には、ＣＰＵ１０３が主基板１１から各種の制御コマンドとなる制御信号を送信するために用いられる複数のコマンドテーブルを構成するテーブルデータや、変動パターンを複数種類格納する変動パターンテーブルを構成するテーブルデータなどが、記憶されている。
【００５０】
遊技制御用マイクロコンピュータ１００が備えるＲＡＭ１０２は、その一部または全部が所定の電源基板において作成されるバックアップ電源によってバックアップされているバックアップＲＡＭであればよい。すなわち、パチンコ遊技機１に対する電力供給が停止しても、所定期間（バックアップ電源としてのコンデンサが放電してバックアップ電源が電力供給不能になるまで）は、ＲＡＭ１０２の一部または全部の内容は保存される。特に、少なくとも、遊技状態すなわち遊技制御手段の制御状態に応じたデータ（特図プロセスフラグなど）と未払出賞球数を示すデータは、バックアップＲＡＭに保存されるようにすればよい。遊技制御手段の制御状態に応じたデータとは、停電等が生じた後に復旧した場合に、そのデータに基づいて、制御状態を停電等の発生前に復旧させるために必要なデータである。また、制御状態に応じたデータと未払出賞球数を示すデータとを遊技の進行状態を示すデータと定義する。こうしたＲＡＭ１０２には、パチンコ遊技機１における遊技の進行などを制御するために用いられる各種のデータが記憶される。
【００５１】
Ｉ／Ｏ１０５は、例えば遊技制御用マイクロコンピュータ１００の外部から各種信号が入力される入力ポートと、遊技制御用マイクロコンピュータ１００の外部へと各種信号を伝送するための出力ポートとを含んで構成される。
【００５２】
演出制御基板１２には、プログラムに従って制御動作を行う演出制御用ＣＰＵ１２０と、演出制御用のプログラムや固定データ等を記憶するＲＯＭ１２１と、演出制御用ＣＰＵ１２０のワークエリアを提供するＲＡＭ１２２と、画像表示装置５における表示動作の制御内容を決定するための処理などを実行する表示制御部１２３と、演出制御用ＣＰＵ１２０とは独立して乱数値を示す数値データの更新を行う乱数回路１２４と、Ｉ／Ｏ１２５とが搭載されている。
【００５３】
一例として、演出制御基板１２では、演出制御用ＣＰＵ１２０がＲＯＭ１２１から読み出した演出制御用のプログラムを実行することにより、演出用の電気部品による演出動作を制御するための処理が実行される。このときには、演出制御用ＣＰＵ１２０がＲＯＭ１２１から固定データを読み出す固定データ読出動作や、演出制御用ＣＰＵ１２０がＲＡＭ１２２に各種の変動データを書き込んで一時記憶させる変動データ書込動作、演出制御用ＣＰＵ１２０がＲＡＭ１２２に一時記憶されている各種の変動データを読み出す変動データ読出動作、演出制御用ＣＰＵ１２０がＩ／Ｏ１２５を介して演出制御基板１２の外部から各種信号の入力を受け付ける受信動作、演出制御用ＣＰＵ１２０がＩ／Ｏ１２５を介して演出制御基板１２の外部へと各種信号を出力する送信動作なども行われる。演出制御用ＣＰＵ１２０、ＲＯＭ１２１、ＲＡＭ１２２は、演出制御基板１２に搭載された１チップの演出制御用マイクロコンピュータに含まれてもよい。
【００５４】
演出制御基板１２には、画像表示装置５に対して映像信号を伝送するための配線や、音声制御基板１３に対して音番号データを示す情報信号としての効果音信号を伝送するための配線、ランプ制御基板１４に対してランプデータを示す情報信号としての電飾信号を伝送するための配線などが接続されている。さらに、演出制御基板１２には、スティックコントローラ３０の操作桿（レバー）やトリガボタン３１Ａに対する遊技者の操作行為を検出したことを示す情報信号としての操作検出信号を、傾倒方向センサユニット３２やトリガセンサ３５Ａから伝送するための配線や、プッシュボタン３１Ｂに対する遊技者の操作行為を検出したことを示す情報信号としての操作検出信号を、プッシュセンサ３５Ｂから伝送するための配線も接続されている。
【００５５】
演出制御基板１２では、例えば乱数回路１２４などにより、演出動作を制御するために用いられる各種の乱数値を示す数値データが更新可能にカウントされる。こうした演出動作を制御するために用いられる乱数は、演出用乱数ともいう。
【００５６】
図２に示す演出制御基板１２に搭載されたＲＯＭ１２１には、演出制御用のプログラムの他にも、演出動作を制御するために用いられる各種のデータテーブルなどが格納されている。例えば、ＲＯＭ１２１には、演出制御用ＣＰＵ１２０が各種の判定や決定、設定を行うために用意された複数の判定テーブルや決定テーブルを構成するテーブルデータ、各種の演出制御パターンを構成するパターンデータなどが記憶されている。演出制御パターンは、例えば演出制御プロセスタイマ判定値と対応付けられた演出制御実行データ（表示制御データ、音声制御データ、ランプ制御データ、操作検出制御データなど）や終了コードなどを含んだプロセスデータから構成されている。演出制御基板１２に搭載されたＲＡＭ１２２には、演出動作を制御するために用いられる各種データが記憶される。
【００５７】
演出制御基板１２に搭載された表示制御部１２３は、演出制御用ＣＰＵ１２０からの表示制御指令などに基づき、画像表示装置５における表示動作の制御内容を決定する。例えば、表示制御部１２３は、画像表示装置５の表示領域内に表示させる演出画像の切換タイミングを決定することなどにより、飾り図柄の可変表示や各種の演出表示を実行させるための制御を行う。一例として、表示制御部１２１には、ＶＤＰ（Video Display Processor）、ＣＧＲＯＭ（Character Generator ROM）、ＶＲＡＭ（Video RAM）、ＬＣＤ駆動回路などが搭載されていればよい。なお、ＶＤＰは、ＧＰＵ（Graphics Processing Unit）、ＧＣＬ（Graphics Controller LSI）、あるいは、より一般的にＤＳＰ（Digital Signal Processor）と称される画像処理用のマイクロプロセッサであってもよい。ＣＧＲＯＭは、例えば書換不能な半導体メモリであってもよいし、フラッシュメモリなどの書換可能な半導体メモリであってもよく、あるいは、磁気メモリ、光学メモリといった、不揮発性記録媒体のいずれかを用いて構成されたものであればよい。
【００５８】
演出制御基板１２に搭載されたＩ／Ｏ１２５は、入力ポートと出力ポートとを含んで構成される。入力ポートには、例えば主基板１１などから伝送された演出制御コマンド、傾倒方向センサユニット３２やトリガセンサ３５Ａ、プッシュセンサ３５Ｂから伝送された操作検出信号といった、各種信号が取り込まれる。出力ポートからは、演出制御基板１２の外部へと各種信号が伝送される。より具体的に、Ｉ／Ｏ１２５の出力ポートからは、画像表示装置５へと伝送される映像信号や、音声制御基板１３へと伝送される指令（効果音信号）、ランプ制御基板１４へと伝送される指令（電飾信号）などが出力される。
【００５９】
演出制御基板１２には、所定の演出出力を初期設定するための設定切替スイッチ３００が搭載されている。設定切替スイッチ３００により初期設定される演出出力には、スピーカ８Ｌ、８Ｒの音量や、遊技効果ランプ９および装飾用ＬＥＤといった装飾発光体（発光部材）の発光光量が含まれていればよい。設定切替スイッチ３００は、通常、遊技店の係員のみが操作できるものであり、各種の演出出力を複数段階のいずれかに初期設定する。設定切替スイッチ３００のスイッチ位置に応じて、スティックコントローラ３０を用いた遊技者による演出出力の設定変更を許容するか制限（禁止または限定）するかが切り替えられる。演出制御用ＣＰＵ１２０は、こうした演出出力の設定を示すデータを、設定情報としてＲＡＭ１２２の所定領域などに記憶させればよい。
【００６０】
図３は、パチンコ遊技機１の内部をパチンコ遊技機１の背面から見た背面図である。図３に示すように、主基板１１および演出制御基板１２は、パチンコ遊技機１の中央に配置されている。払出制御基板３７は、パチンコ遊技機１の下方に配置されている。電源基板９０は、左下方に配置されている。球払出装置９７は、賞球を払い出すための賞球供給路に対応してパチンコ遊技機１の右側方に配置されている。なお、主基板１１は基板収納ケース１５０に収納されており、演出制御基板１２は基板収納ケース２７０に収納されている。これら基板収納ケース１５０、２７０は、いずれも透光性を有するアクリル板等の部材により構成されている。設定切替スイッチ３００は、図３に示すように、演出制御基板１２にパチンコ遊技機１の背面方向を向くように配置されている。
【００６１】
図４は、演出制御基板１２における設定切替スイッチ３００の配置例を示している。設定切替スイッチ３００は、パチンコ遊技機１を背面から見たときに、演出制御基板１２の右上部分に配置され、基板収納ケース２７０に形成された切欠部２７０ａを介して遊技盤ユニット２５０の外方から操作可能となっている。パチンコ遊技機１が設置される遊技店では、例えば係員がパチンコ遊技機１の前面扉などを開閉させることができる一方、通常、遊技者は開閉できない。この前面扉を開放したときには、パチンコ遊技機１に設けられた回転軸を軸として、演出制御基板１２などが配置された部材を回転させることができる。これにより、係員が演出制御基板１２の設定切替スイッチ３００を操作可能な状態になる。このように、設定切替スイッチ３００は遊技店用の操作部であり、前面扉を開放することが設定切替スイッチ３００の操作により演出出力を変更可能にする条件（第１許可条件）となっている。
【００６２】
図５は、設定切替スイッチ３００の構成例を示している。図５に示すように、設定切替スイッチ３００は、「０」から「Ｆ」までの計１６個のチャンネルを備えており、ツマミ３０１を回動操作することでチャンネルを切り替えるスイッチになっている。この実施の形態では、設定切替スイッチ３００のスイッチ位置が「０」〜「Ｆ」のいずれであるかに応じて、演出出力量が６段階のいずれかに初期設定されるとともに、遊技者による設定変更操作を許容するか否かが切り替えられる。設定切替スイッチ３００は直接または所定回路を介して演出制御用ＣＰＵ１２０に接続され、設定切替スイッチ３００のスイッチ位置を示す所定信号（スイッチ信号）が演出制御用ＣＰＵ１２０に入力されることによりチャンネルの初期設定を読み取ることができる。
【００６３】
パチンコ遊技機１においては、遊技媒体としての遊技球を用いた所定の遊技が行われ、その遊技結果に基づいて所定の遊技価値が付与可能となる。遊技球を用いた遊技の一例として、パチンコ遊技機１における筐体前面の右下方に設置された打球操作ハンドルが遊技者によって所定操作（例えば回転操作）されたことに基づいて、所定の打球発射装置が備える発射モータの駆動などにより、遊技媒体としての遊技球が遊技領域に向けて発射される。遊技領域を流下した遊技球が、普通入賞球装置６Ａに形成された第１始動入賞口（第１始動領域）を通過（進入）すると、その遊技球が図２に示す第１始動口スイッチ２２Ａによって検出されたことなどに基づいて第１始動条件が成立する。その後、例えば前回の特図ゲームや大当り遊技状態が終了したことなどに基づいて第１開始条件が成立する。こうして、第１特別図柄表示装置４Ａによる第１特図を用いた特図ゲームが開始される。
【００６４】
また、普通可変入賞球装置６Ｂに形成された第２始動入賞口（第２始動領域）を遊技球が通過（進入）すると、その遊技球が図２に示す第２始動口スイッチ２２Ｂによって検出される。第２始動口スイッチ２２Ｂによって遊技球が検出されたことに基づいて、第２始動条件が成立する。その後、例えば前回の特図ゲームや大当り遊技状態が終了したことなどに基づいて、第２開始条件が成立する。こうして、第２特別図柄表示装置４Ｂによる第２特図を用いた特図ゲームが開始される。なお、普通可変入賞球装置６Ｂが第２可変状態としての通常開放状態であるときには、第２始動入賞口を遊技球が通過困難または通過不可能である。
【００６５】
通過ゲート４１を通過した遊技球が図２に示すゲートスイッチ２１によって検出されたことに基づいて、普通図柄表示器２０にて普通図柄の可変表示を実行するための普図始動条件が成立する。その後、例えば前回の普図ゲームが終了したことといった、普通図柄の可変表示を開始するための普図開始条件が成立したことに基づいて、普通図柄表示器２０による普図ゲームが開始される。この普図ゲームでは、普通図柄の変動を開始させた後、所定時間が経過すると、普通図柄の可変表示結果となる確定普通図柄を停止表示（導出表示）する。このとき、確定普通図柄として特定の普通図柄（普図当り図柄）が停止表示されれば、普通図柄の可変表示結果が「普図当り」となる。その一方、確定普通図柄として普図当り図柄以外の普通図柄が停止表示されれば、普通図柄の可変表示結果が「普図ハズレ」となる。普通図柄の可変表示結果が「普図当り」となったことに対応して、普通可変入賞球装置６Ｂを構成する電動チューリップの可動翼片が傾動位置となる開放制御や拡大開放制御が行われ、所定時間が経過すると垂直位置に戻る閉鎖制御や通常開放制御が行われる。
【００６６】
第１特別図柄表示装置４Ａによる第１特図を用いた特図ゲームが実行されるときや、第２特別図柄表示装置４Ｂによる第２特図を用いた特図ゲームが実行されるときには、特別図柄の可変表示結果を予め定められた特定表示結果としての「大当り」にするか否かが、その可変表示結果を導出表示する以前に決定（事前決定）される。そして、可変表示結果の決定に基づく所定割合で、変動パターンの決定などが行われ、可変表示結果や変動パターンを指定する演出制御コマンドが、図２に示す主基板１１の遊技制御用マイクロコンピュータ１００から演出制御基板１２に向けて伝送される。
【００６７】
こうした可変表示結果や変動パターンの決定に基づいて特図ゲームが開始された後、例えば変動パターンに対応して予め定められた可変表示時間が経過したときには、可変表示結果となる確定特別図柄が導出表示される。第１特別図柄表示装置４Ａや第２特別図柄表示装置４Ｂによる特別図柄の可変表示に対応して、画像表示装置５の表示領域に配置された「左」、「中」、「右」の飾り図柄表示エリア５Ｌ、５Ｃ、５Ｒでは、特別図柄とは異なる飾り図柄（装飾図柄）の可変表示が行われる。「左」、「中」、「右」の飾り図柄表示エリア５Ｌ、５Ｃ、５Ｒで可変表示される飾り図柄は、それぞれ左図柄、中図柄、右図柄ともいう。
【００６８】
第１特別図柄表示装置４Ａによる第１特図を用いた特図ゲームや、第２特別図柄表示装置４Ｂによる第２特図を用いた特図ゲームにおいて、特別図柄の可変表示結果となる確定特別図柄が導出表示されるときには、画像表示装置５において飾り図柄の可変表示結果となる確定飾り図柄（最終停止図柄）が導出表示される。特別図柄の可変表示結果として、予め定められた大当り図柄が導出表示されたときには可変表示結果が「大当り」（特定表示結果）となり、予め定められた小当り図柄が導出表示されたときには可変表示結果が「小当り」（特殊表示結果）となり、予め定められたハズレ図柄が導出表示されたときには可変表示結果が「ハズレ」（非特定表示結果）となる。可変表示結果が「大当り」となったことに基づいて、遊技者にとって有利な特定遊技状態としての大当り遊技状態に制御される。すなわち、大当り遊技状態に制御されるか否かは、可変表示結果が「大当り」となるか否かに対応しており、その可変表示結果を導出表示する以前に決定（事前決定）される。
【００６９】
特図ゲームにおける特別図柄の可変表示結果が「大当り」となるときには、画像表示装置５の表示領域において、予め定められた大当り組合せとなる確定飾り図柄が導出表示される。一例として、「左」、「中」、「右」の飾り図柄表示エリア５Ｌ、５Ｃ、５Ｒにおける所定の有効ライン上に同一の飾り図柄が揃って停止表示されることにより、大当り組合せとなる確定飾り図柄が導出表示されればよい。他の一例として、「左」、「中」、「右」の飾り図柄表示エリア５Ｌ、５Ｃ、５Ｒにおける有効ライン上に所定の開放チャンス目を構成する飾り図柄が停止表示されることにより、大当り組合せとなる確定飾り図柄が導出表示されてもよい。特図ゲームにおける特別図柄の可変表示結果が「小当り」となるときにも、画像表示装置５の表示領域において、開放チャンス目を構成する飾り図柄が確定飾り図柄として停止表示されてもよい。
【００７０】
大当り遊技状態では、大入賞口が開放状態となって特別可変入賞球装置７が遊技者にとって有利な第１状態となる。そして、所定期間（例えば２９．５秒間または０．１秒間）あるいは所定個数（例えば１０個）の遊技球が大入賞口に進入して入賞球が発生するまでの期間にて、大入賞口を継続して開放状態とするラウンド（「ラウンド遊技」ともいう）が実行される。こうしたラウンドの実行期間以外の期間では、大入賞口が閉鎖状態となり、入賞球が発生困難または発生不可能となる。大入賞口に遊技球が進入したときには、大入賞口スイッチ２３により入賞球が検出され、その検出ごとに所定個数（例えば１５個）の遊技球が賞球として払い出される。大当り遊技状態におけるラウンドは、所定の上限回数（例えば「１６」または「２」）に達するまで繰返し実行される。
【００７１】
大当り遊技状態におけるラウンドのうち、特別可変入賞球装置７を遊技者にとって有利な第１状態（開放状態）とする上限時間が比較的に長い第１期間（例えば２９．５秒間など）となるラウンドは、通常開放ラウンドともいう。通常開放ラウンドが所定の第１回数（例えば「１６」）まで実行される大当り遊技状態は、通常開放大当り状態ともいう。通常開放大当り状態は、第１特定遊技状態とも称される。一方、特別可変入賞球装置７を第１状態（開放状態）とする上限時間が比較的に短い第２期間（例えば０．１秒間など）となるラウンドは、短期開放ラウンドともいう。短期開放ラウンドが第１回数よりも少ない所定の第２回数（例えば「２」）まで実行される大当り遊技状態は、短期開放大当り状態ともいう。短期開放大当り状態は、第２特定遊技状態とも称される。
【００７２】
通常開放大当り状態では、例えば大入賞口を開放状態とする上限時間が２９．５秒間でラウンドの上限回数が「１６」となることから、遊技者が多数の賞球をきわめて容易に獲得することができ、遊技者にとって有利な遊技状態となる。短期開放大当り状態では、大入賞口に遊技球が入賞すれば所定個数（例えば１５個）の出玉（賞球）が得られる。しかし、大入賞口の開放期間は第２期間（０．１秒間など）であって、非常に短い。そのため、短期開放大当り状態は実質的には出玉（賞球）が得られない大当り遊技状態である。なお、パチンコ遊技機１は、賞球となる遊技球を直接に払い出すものであってもよいし、賞球となる遊技球の個数に対応した得点を付与するものであってもよい。
【００７３】
大当り遊技状態が終了した後には、所定の確変制御条件が成立したことに基づいて、可変表示結果が「大当り」となる確率（大当り確率）が通常状態よりも高くなる確変状態に制御（確変制御）されることがある。確変状態は、所定回数（例えば２００回）の可変表示が実行されること、または可変表示の実行回数が所定回数に達する以前に大当り遊技状態が開始されることなど、所定の確変終了条件が成立するまで継続するように制御される。なお、確変終了条件は、可変表示の実行回数にかかわらず、次回の大当り遊技状態が開始されるときに成立するようにしてもよい。あるいは、大当り遊技状態の終了後に特図ゲームが開始されるごとに実行される確変転落抽選にて確変制御を終了させる「確変転落あり」の決定がなされたときに、確変終了条件が成立するようにしてもよい。大当り遊技状態が終了した後には、平均的な可変表示時間が通常状態よりも短くなる時短状態に制御（時短制御）されることがある。時短状態は、所定回数（例えば１００回）の可変表示が実行されたこと、または可変表示の実行回数が所定回数に達する以前に大当り遊技状態が開始されることなど、所定の時短終了条件が成立するまで継続するように制御される。
【００７４】
確変状態や時短状態では、通常状態よりも第２始動入賞口を遊技球が通過（進入）しやすい有利変化態様で、普通可変入賞球装置６Ｂを第１可変状態（開放状態または拡大開放状態）と第２可変状態（閉鎖状態または通常開放状態）とに変化させる。例えば、普通図柄表示器２０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく普通可変入賞球装置６Ｂにおける可動翼片の傾動制御を行う傾動制御時間を通常状態のときよりも長くする制御、その傾動回数を通常状態のときよりも増加させる制御により、普通可変入賞球装置６Ｂを有利変化態様で第１可変状態と第２可変状態とに変化させればよい。なお、これらの制御のいずれか１つが行われるようにしてもよいし、複数の制御が組み合わせられて行われるようにしてもよい。このように、普通可変入賞球装置６Ｂを有利変化態様で第１可変状態と第２可変状態とに変化させる制御は、高開放制御（「高ベース制御」ともいう）と称される。こうした確変状態や時短状態に制御されることにより、次に可変表示結果が「大当り」となるまでの所要時間が短縮され、通常状態よりも遊技者にとって有利な特別遊技状態となる。なお、確変状態にて確変制御が行われるときでも、高開放制御が行われない場合があってもよい。
【００７５】
時短制御と高開放制御がともに行われる遊技状態は、時短状態あるいは高ベース状態ともいう。また、確変制御が行われる遊技状態は、確変状態あるいは高確状態ともいう。確変制御とともに時短制御や高開放制御が行われる遊技状態は、高確高ベース状態とも称される。確変制御のみが行われて時短制御や高開放制御が行われない確変状態は、高確低ベース状態とも称される。なお、確変制御とともに時短制御や高開放制御が行われる遊技状態のみを、特に「確変状態」ということもあり、高確低ベース状態とは区別するために、時短付確変状態ということもある。一方、確変制御のみが行われて時短制御や高開放制御が行われない確変状態（高確低ベース状態）は、高確高ベース状態と区別するために、時短なし確変状態ということもある。確変制御が行われずに時短制御や高開放制御が行われる時短状態は、低確高ベース状態とも称される。確変制御や時短制御および高開放制御がいずれも行われない通常状態は、低確低ベース状態とも称される。通常状態以外の遊技状態において時短制御や確変制御の少なくともいずれかが行われるときには、特図ゲームが頻繁に実行可能となることや、各回の特図ゲームにおける可変表示結果が「大当り」となる確率が高められることにより、遊技者にとって有利な状態となる。大当り遊技状態とは異なる遊技者にとって有利な遊技状態は、特別遊技状態とも称される。
【００７６】
特図ゲームにおける特別図柄の可変表示結果が「大当り」となり通常開放大当り状態に制御された後、時短状態となる場合を、「非確変」の大当り種別と称する。可変表示結果が「大当り」となり通常開放大当り状態に制御された後、確変状態となる場合を、「確変」の大当り種別と称する。可変表示結果が「大当り」となり短期開放大当り状態に制御された後、確変状態となる場合を、「突確」の大当り種別と称する。
【００７７】
特図ゲームにおける特別図柄の可変表示結果が「小当り」となったことに基づいて、特殊遊技状態としての小当り遊技状態に制御される。この小当り遊技状態では、短期開放大当り状態と同様に特別可変入賞球装置７において大入賞口を遊技者にとって有利な第１状態（開放状態）に変化させる可変入賞動作が行われる。すなわち、小当り遊技状態では、例えば特別可変入賞球装置７を第２期間にわたり第１状態（開放状態）とする動作が繰り返し実行される。
【００７８】
画像表示装置５に設けられた「左」、「中」、「右」の飾り図柄表示エリア５Ｌ、５Ｃ、５Ｒでは、第１特別図柄表示装置４Ａにおける第１特図を用いた特図ゲームと、第２特別図柄表示装置４Ｂにおける第２特図を用いた特図ゲームとのうち、いずれかの特図ゲームが開始されることに対応して、飾り図柄の可変表示が開始される。そして、飾り図柄の可変表示が開始されてから「左」、「中」、「右」の各飾り図柄表示エリア５Ｌ、５Ｃ、５Ｒにおける確定飾り図柄の停止表示により可変表示が終了するまでの期間では、飾り図柄の可変表示状態が所定のリーチ状態となることがある。
【００７９】
ここで、リーチ状態とは、画像表示装置５の表示領域にて停止表示された飾り図柄が大当り組合せの一部を構成しているときに未だ停止表示されていない飾り図柄（「リーチ変動図柄」ともいう）については変動が継続している表示状態、あるいは、全部又は一部の飾り図柄が大当り組合せの全部又は一部を構成しながら同期して変動している表示状態のことである。具体的には、「左」、「中」、「右」の飾り図柄表示エリア５Ｌ、５Ｃ、５Ｒにおける一部（例えば「左」及び「右」の飾り図柄表示エリア５Ｌ、５Ｒなど）では予め定められた大当り組合せを構成する飾り図柄（例えば「７」の英数字を示す飾り図柄）が停止表示されているときに未だ停止表示していない残りの飾り図柄表示エリア（例えば「中」の飾り図柄表示エリア５Ｃなど）では飾り図柄が変動している表示状態、あるいは、「左」、「中」、「右」の飾り図柄表示エリア５Ｌ、５Ｃ、５Ｒにおける全部又は一部で飾り図柄が大当り組合せの全部又は一部を構成しながら同期して変動している表示状態である。
【００８０】
リーチ状態において行われる演出を、リーチ演出という。リーチ演出として、画像表示装置５の画面上に飾り図柄とは異なるキャラクタ画像（人物等を模した演出画像）を表示させることや、背景画像の表示態様を変化させること、飾り図柄とは異なる動画像を再生表示させることといった、飾り図柄の変動態様を変化させることとは異なる演出動作が実行されてもよい。画像表示装置５における表示動作のみならず、スピーカ８Ｌ、８Ｒによる音声出力動作や、遊技効果ランプ９などの発光体における点灯動作（点滅動作）などを、リーチ態様となる以前の動作態様とは異なる動作態様とすることが、リーチ演出に含まれていてもよい。リーチ状態やその様子をリーチ態様という。さらに、リーチ演出を含む可変表示をリーチ可変表示という。そして、画像表示装置５の画面上で可変表示される図柄の表示結果が大当り組合せでない場合には「ハズレ」となり、可変表示状態は終了する。
【００８１】
リーチ演出における演出動作としては、互いに動作態様（演出態様）が異なる複数種類の演出パターン（「リーチパターン」ともいう）が、予め用意されていればよい。そして、それぞれのリーチ演出における演出態様に応じて、「大当り」となる可能性（「信頼度」あるいは「大当り信頼度」ともいう）が異なる。すなわち、複数種類のリーチ演出のいずれが実行されるかに応じて、可変表示結果が「大当り」となる可能性を異ならせることができる。この実施の形態では、一例として、ノーマル、スーパーＡ、スーパーＢといったリーチ演出が予め設定されている。そして、スーパーＡやスーパーＢといったスーパーリーチのリーチ演出が実行された場合には、ノーマルのリーチ演出が実行された場合に比べて、可変表示結果が「大当り」となる可能性（大当り期待度）が高くなる。また、スーパーリーチのリーチ演出のうちでも、スーパーＢといった特定のリーチ演出が実行された場合には、スーパーＡのリーチ演出が実行された場合に比べて、大当り期待度が高くなる。
【００８２】
画像表示装置５の画面上における液晶表示の演出として飾り図柄の可変表示が行われる。加えて、画像表示装置５の画面上では、例えばキャラクタ画像を用いる演出や、大当り判定と変動パターンの判定結果などに基づいて報知画像を表示するような演出も実行される。特別図柄や飾り図柄の可変表示が行われている可変表示中に実行される各種の演出は、「可変表示中演出」ともいう。可変表示中演出の一例として、飾り図柄の可変表示動作とは異なる演出動作により、飾り図柄の可変表示状態がリーチ状態となる可能性や、スーパーリーチのリーチ演出が実行される可能性、可変表示結果が「大当り」となる可能性などを、遊技者に予め示唆するための予告演出が実行されることがある。
【００８３】
予告演出となる演出動作は、「左」、「中」、「右」の飾り図柄表示エリア５Ｌ、５Ｃ、５Ｒの全部にて飾り図柄の可変表示が開始されてから、飾り図柄の可変表示状態がリーチ状態となるより前（「左」及び「右」の飾り図柄表示エリア５Ｌ、５Ｒにて飾り図柄が仮停止表示されるより前）に実行（開始）されるものであればよい。また、可変表示結果が「大当り」となる可能性があることを報知する予告演出には、飾り図柄の可変表示状態がリーチ状態となった後に実行されるものが含まれていてもよい。このように、予告演出は、特別図柄や飾り図柄の可変表示が開始されてから可変表示結果となる確定特別図柄や確定飾り図柄が導出されるまでの所定タイミングにて、大当り遊技状態となる可能性を予告できるものであればよい。こうした予告演出を実行する場合における演出動作の内容（演出態様）に対応して、複数の予告演出パターンが予め用意されている。
【００８４】
第１特別図柄表示装置４Ａまたは第２特別図柄表示装置４Ｂにハズレ図柄が停止表示（導出）されて可変表示結果が「ハズレ」となる場合には、可変表示態様が「非リーチ」（「通常ハズレ」ともいう）となる場合と、可変表示態様が「リーチ」（「リーチハズレ」ともいう）となる場合とが含まれている。可変表示態様が「非リーチ」となる場合には、飾り図柄の可変表示が開始されてから、飾り図柄の可変表示状態がリーチ状態とならずに、リーチにならない所定の飾り図柄の組合せ（非リーチ組合せ）が停止表示（導出）される。可変表示態様が「リーチ」となる場合には、飾り図柄の可変表示が開始されてから、飾り図柄の可変表示状態がリーチ状態となった後にリーチ演出が実行され、最終的に大当り組合せとはならない所定の飾り図柄の組合せ（リーチハズレ組合せ）が停止表示（導出）される。
【００８５】
パチンコ遊技機１において遊技媒体として用いられる遊技球や、その個数に対応して付与される得点の記録情報は、例えば数量に応じて特殊景品や一般景品に交換可能な有価価値を有するものであればよい。あるいは、これらの遊技球や得点の記録情報は、特殊景品や一般景品には交換できないものの、パチンコ遊技機１で再度の遊技に使用可能な有価価値を有するものであってもよい。
【００８６】
また、パチンコ遊技機１において付与可能となる遊技価値は、賞球となる遊技球の払出しや得点の付与に限定されず、例えば大当り遊技状態に制御することや、確変状態などの特別遊技状態に制御すること、大当り遊技状態にて実行可能なラウンドの上限回数が第２ラウンド数（例えば「７」）よりも多い第１ラウンド数（例えば「１５」）となること、時短状態にて実行可能な可変表示の上限回数が第２回数（例えば「５０」）よりも多い第１回数（例えば「１００」）となること、確変状態における大当り確率が第２確率（例えば１／５０）よりも高い第１確率（例えば１／２０）となること、通常状態に制御されることなく大当り遊技状態に繰り返し制御される回数である連チャン回数が第２連チャン数（例えば「５」）よりも多い第１連チャン数（例えば「１０」）となることの一部または全部といった、遊技者にとってより有利な遊技状況となることが含まれていてもよい。
【００８７】
次に、本実施例におけるパチンコ遊技機１の動作（作用）を説明する。
【００８８】
主基板１１では、所定の電源基板からの電力供給が開始されると、遊技制御用マイクロコンピュータ１００が起動し、ＣＰＵ１０３によって遊技制御メイン処理となる所定の処理が実行される。遊技制御メイン処理を開始すると、ＣＰＵ１０３は、割込み禁止に設定した後、必要な初期設定を行う。この初期設定では、例えばＲＡＭ１０１がクリアされる。また、遊技制御用マイクロコンピュータ１００に内蔵されたＣＴＣ（カウンタ／タイマ回路）のレジスタ設定を行う。これにより、以後、所定時間（例えば、２ミリ秒）ごとにＣＴＣから割込み要求信号がＣＰＵ１０３へ送出され、ＣＰＵ１０３は定期的にタイマ割込み処理を実行することができる。初期設定が終了すると、割込みを許可した後、ループ処理に入る。なお、遊技制御メイン処理では、パチンコ遊技機１の内部状態を前回の電力供給停止時における状態に復帰させるための処理を実行してから、ループ処理に入るようにしてもよい。
【００８９】
このような遊技制御メイン処理を実行したＣＰＵ１０３は、ＣＴＣからの割込み要求信号を受信して割込み要求を受け付けると、割込み禁止状態に設定して、所定の遊技制御用タイマ割込み処理を実行する。遊技制御用タイマ割込処理には、例えばスイッチ処理やメイン側エラー処理、情報出力処理、遊技用乱数更新処理、特別図柄プロセス処理、普通図柄プロセス処理、コマンド制御処理といった、パチンコ遊技機１における遊技の進行などを制御するための処理が含まれている。
【００９０】
スイッチ処理は、入力ドライバ回路１１０を介してゲートスイッチ２１、第１始動口スイッチ２２Ａ、第２始動口スイッチ２２Ｂ、カウントスイッチ２３といった各種スイッチから入力される検出信号の状態を判定する処理である。メイン側エラー処理は、パチンコ遊技機１の異常診断を行い、その診断結果に応じて必要ならば警告を発生可能とする処理である。情報出力処理は、例えばパチンコ遊技機１の外部に設置されたホール管理用コンピュータに供給される大当り情報、始動情報、確率変動情報などのデータを出力する処理である。遊技用乱数更新処理は、主基板１１の側で用いられる複数種類の遊技用乱数のうち、少なくとも一部をソフトウェアにより更新するための処理である。
【００９１】
遊技制御用タイマ割込処理に含まれる特別図柄プロセス処理では、ＲＡＭ１０２に設けられた特図プロセスフラグの値をパチンコ遊技機１における遊技の進行状況に応じて更新し、第１特別図柄表示装置４Ａや第２特別図柄表示装置４Ｂにおける表示動作の制御や、特別可変入賞球装置７における大入賞口の開閉動作設定などを、所定の手順で行うために、各種の処理が選択されて実行される。普通図柄プロセス処理は、普通図柄表示器２０における表示動作（例えばセグメントＬＥＤの点灯、消灯など）を制御して、普通図柄の可変表示や普通可変入賞球装置６Ｂにおける可動翼片の傾動動作設定などを可能にする処理である。
【００９２】
コマンド制御処理は、主基板１１から演出制御基板１２などのサブ側の制御基板に対して制御コマンドを伝送させる処理である。一例として、コマンド制御処理では、ＲＡＭ１０２に設けられた送信コマンドバッファの値によって指定されたコマンド送信テーブルにおける設定に対応して、Ｉ／Ｏ１０５に含まれる出力ポートのうち、演出制御基板１２に対して演出制御コマンドを送信するための出力ポートに制御データをセットした後、演出制御ＩＮＴ信号の出力ポートに所定の制御データをセットして演出制御ＩＮＴ信号を所定時間にわたりオン状態としてからオフ状態とすることなどにより、コマンド送信テーブルでの設定に基づく演出制御コマンドの伝送を可能にする。コマンド制御処理を実行した後には、割込み許可状態に設定してから、遊技制御用タイマ割込み処理を終了する。
【００９３】
図６は、特別図柄プロセス処理の一例を示すフローチャートである。図６に示す特別図柄プロセス処理において、遊技制御用マイクロコンピュータ１００のＣＰＵ１０３は、まず、始動入賞が発生したか否かを判定する（ステップＳ９１）。一例として、ステップＳ９１では、第１始動口スイッチ２２Ａや第２始動口スイッチ２２Ｂから伝送される検出信号となる始動入賞信号の入力状態（オン／オフ）をチェックして、オン状態であれば始動入賞が発生したと判定すればよい。
【００９４】
ステップＳ９１にて始動入賞が発生した場合には（ステップＳ９１；Ｙｅｓ）、入賞時乱数を格納する（ステップＳ９２）。一例として、ステップＳ９２の処理では、遊技制御用マイクロコンピュータ１００に内蔵（または外付）の乱数回路１０４や、遊技制御用マイクロコンピュータ１００におけるＲＡＭ１０２の所定領域（例えば遊技制御カウンタ設定部）に設けられたランダムカウンタ、遊技制御用マイクロコンピュータ１００においてＲＡＭ１０２とは別個に設けられた内部レジスタを用いて構成されたランダムカウンタなどのうち、少なくとも一部により更新される遊技用乱数（特図表示結果決定用の乱数値ＭＲ１、大当り種別決定用の乱数値ＭＲ２、変動パターン種別決定用の乱数値ＭＲ３、変動パターン決定用の乱数値ＭＲ４）を示す数値データの一部または全部を抽出する。このとき抽出された乱数値は、例えば遊技制御用マイクロコンピュータ１００におけるＲＡＭ１０２の所定領域に設けられた保留用乱数値記憶部などに、保留番号と対応付けた保留データとして記憶することで、入賞時乱数として格納されればよい。
【００９５】
ステップＳ９２の処理に続いて、始動入賞時に対応した各種の制御コマンドを送信する（ステップＳ９３）。一例として、ステップＳ９３の処理では、始動入賞の発生を通知する始動入賞指定コマンドや、始動入賞の発生により増加した特図保留記憶数を通知する保留数通知コマンドを、演出制御基板１２に対して送信するための設定が行われればよい。ステップＳ９１にて始動入賞が発生していない場合や（ステップＳ９１；Ｎｏ）、ステップＳ９３の処理を実行した後には、特図プロセスフラグの値を判定する（ステップＳ２１）。そして、遊技制御用のコンピュータプログラムに予め記述された複数の処理から、判定値に応じた処理を選択して実行する。
【００９６】
例えば、特図プロセスフラグの値が“０”であるときには、図柄の可変表示（可変表示ゲーム）が開始可能であるか否かを判定する（ステップＳ１０１）。一例として、ステップＳ１０１の処理では、保留用乱数値記憶部の記憶内容をチェックすることなどにより、可変表示ゲームの保留数が「０」であるか否かを判定する。このとき、保留数が「０」以外である場合には、可変表示の始動条件が成立した後、未だ開始条件が成立していない可変表示の保留が行われていることから、可変表示が開始可能であると判定する。これに対して、保留数が「０」である場合には、可変表示が開始不可能であると判定する。可変表示が開始不可能であるときには（ステップＳ１０１；Ｎｏ）、特別図柄プロセス処理を終了する。
【００９７】
ステップＳ１０１にて可変表示が開始可能であるときには（ステップＳ１０１；Ｙｅｓ）、可変表示結果として導出表示される確定図柄を決定する（ステップＳ１０２）。特図ゲームにおける特別図柄の可変表示結果は、特図表示結果と称される。ステップＳ１０２の処理では、保留用乱数値記憶部において先頭（保留番号が最小の記憶領域）に記憶されている遊技用乱数を読み出す。保留用乱数値記憶部から読み出した遊技用乱数は、遊技制御用マイクロコンピュータ１００におけるＲＡＭ１０２の所定領域（例えば遊技制御バッファ設定部）に設けられた可変表示用乱数バッファなどに一時記憶させておけばよい。そして、予めＲＯＭ１０１の所定領域に記憶するなどして用意された特図表示結果決定テーブルを選択し、可変表示用乱数バッファに一時記憶させた特図表示結果決定用の乱数値ＭＲ１に基づいて、特別図柄の可変表示結果を「大当り」とするか否かや、可変表示結果を「小当り」とするか否かを、所定割合で決定すればよい。
【００９８】
図７（Ａ）は、特図表示結果の決定例を示している。このように、特図表示結果を「大当り」、「小当り」、「ハズレ」のいずれとするかが、特図表示結果決定用の乱数値ＭＲ１を示す数値データや特図表示結果決定テーブルを用いて、所定割合で決定されればよい。図７（Ａ）に示す決定例では、確変状態における確変制御の有無に応じて、特図表示結果を「大当り」とするか否かの決定割合を異ならせている。パチンコ遊技機１における遊技状態が確変状態であるときには、通常状態や時短状態であるときよりも高い割合で、可変表示結果が「大当り」に決定されるように、特図表示結果決定テーブルにおける判定値が設定されていればよい。ＣＰＵ１０３は、ＲＡＭ１０２の所定領域（例えば遊技制御フラグ設定部）に設けられた確変フラグがオンである場合に、確変制御が行われていると判定すればよい。
【００９９】
ステップＳ１０２の処理にて可変表示結果が「大当り」に決定されたときには、さらに大当り種別決定用の乱数値と大当り種別決定テーブルとを用いて、大当り遊技状態の終了後における遊技状態を確変状態といった特別遊技状態とするか否かの決定を行う。このとき、大当り種別が「確変」や「突確」に決定されたことに対応して、大当り遊技状態の終了後に確変制御が行われて確変状態とすることが決定される。一方、大当り種別が「非確変」に決定されたことに対応して、大当り遊技状態の終了後に時短制御が行われて時短状態とすることが決定される。これらの決定結果に対応して、可変表示結果として導出表示される確定図柄を決定すればよい。
【０１００】
図７（Ｂ）は、大当り種別の決定例を示している。この決定例では、変動特図が第１特図であるか第２特図であるかに応じて、大当り種別の決定割合を異ならせている。より具体的に、変動特図が第１特図である場合に、所定割合で大当り種別が「突確」に決定される。一方、変動特図が第２特図である場合には、大当り種別が「突確」には決定されない。すなわち、大当り種別が「突確」に決定されるのは、変動特図が第１特図のときだけになる。このように、特図ゲームにて可変表示される特別図柄に応じて、異なる大当り種別に決定されてもよい。また、大当り種別が「確変」に決定される割合は、変動特図が第１特図のときよりも、変動特図が第２特図のときに高くなる。このように、特図ゲームにて可変表示される特別図柄に応じて異なる割合で、所定の大当り種別に決定されてもよい。
【０１０１】
ステップＳ１０２の処理に続いて、内部フラグなどの設定を行う（ステップＳ１０３）。一例として、ステップＳ１０３の処理では、ステップＳ１０２の処理にて可変表示結果が「大当り」に決定されたときに、ＲＡＭ１０２の所定領域（例えば遊技制御フラグ設定部）に設けられた大当りフラグをオン状態にセットする。また、大当り遊技状態の終了後における遊技状態を確変状態とすることが決定されたときには、ＲＡＭ１０２の所定領域に設けられた確変確定フラグをオン状態にセットするなどして、確変状態となることを特定可能に記憶しておいてもよい。その後、特図プロセスフラグの値を“１”に更新してから（ステップＳ１０４）、特別図柄プロセス処理を終了する。
【０１０２】
特図プロセスフラグの値が“１”であるときには、変動パターンなどを決定する（ステップＳ１１１）。各変動パターンは、可変表示が開始されてから可変表示結果となる確定図柄が導出表示されるまでの所要時間（可変表示時間）や演出態様の概略を特定可能に示している。ステップＳ１１１の処理では、予めＲＯＭ１０１の所定領域に記憶するなどして用意された変動パターン決定テーブルを選択し、可変表示用乱数バッファに一時記憶されている変動パターン決定用乱数ＭＲ４などに基づいて、変動パターンを複数パターンのいずれかに所定割合で決定すればよい。
【０１０３】
図８（Ａ）は、パチンコ遊技機１において用いられる変動パターンの設定例を示している。図８（Ａ）に示す設定例では、可変表示結果が「ハズレ」となる場合のうち、画像表示装置５において可変表示される飾り図柄の可変表示態様が「非リーチ」である場合と「リーチ」である場合のそれぞれに対応して、また、可変表示結果が「大当り」で大当り種別が「突確」以外（「非確変」または「確変」）である場合と大当り種別が「突確」あるいは可変表示結果が「小当り」である場合のそれぞれに対応して、複数の変動パターンが予め用意されている。
【０１０４】
ステップＳ１１１の処理では、変動パターン種別を複数種別のいずれかに所定割合で決定してから、変動パターンを決定してもよい。変動パターン種別は、例えば飾り図柄の可変表示中に実行される演出動作の態様などに基づいて分類（グループ化）された単一または複数の変動パターンを含むように構成されている。一例として、複数の変動パターンをリーチ演出の種類（演出態様）で分類（グループ化）して、飾り図柄の可変表示状態がリーチ状態とならない変動パターンが含まれる変動パターン種別と、ノーマルリーチを伴う変動パターンが含まれる変動パターン種別と、スーパーリーチ（スーパーＡまたはスーパーＢ）を伴う変動パターンが含まれる変動パターン種別とに分ければよい。複数の変動パターン種別のうちには、共通の変動パターンを含んで構成されたものがあってもよい。このように、各変動パターン種別には、可変表示態様や可変表示の内容に応じて、１つまたは複数の変動パターンが分類される。ＣＰＵ１０３は、予めＲＯＭ１０１の所定領域に記憶するなどして用意された変動パターン種別決定テーブルを選択し、可変表示用乱数バッファに一時記憶されている変動パターン種別決定用乱数ＭＲ３などに基づいて、変動パターン種別を複数種別のいずれかに所定割合で決定すればよい。
【０１０５】
図８（Ｂ１）は、大当り時における変動パターンの決定例を示している。図８（Ｂ２）は、小当り時における変動パタンの決定例を示している。図８（Ｂ３）は、ハズレ時における変動パタンの決定例を示している。図８（Ｂ１）に示す決定例では、大当り種別が「非確変」または「確変」の場合に、変動パターンＰＡ３−１といった、ノーマルのリーチ演出だけが実行されてスーパーＡやスーパーＢのリーチ演出が実行されない変動パターンの決定割合が、変動パターンＰＡ３−２や変動パターンＰＡ３−３といったスーパーリーチのリーチ演出が実行される変動パターンの決定割合よりも低くなるように設定されている。一方、図８（Ｂ３）に示す決定例では、変動パターンＰＡ２−１といった、ノーマルのリーチ演出だけが実行されてスーパーＡやスーパーＢのリーチ演出が実行されない変動パターンの決定割合が、変動パターンＰＡ２−２や変動パターンＰＡ２−３といったスーパーリーチのリーチ演出が実行される変動パターンの決定割合よりも高くなるように設定されている。また、大当り時には、スーパーリーチのリーチ演出が実行される変動パターンの決定割合が、ハズレ時よりも高くなるように設定されている。これにより、スーパーリーチのリーチ演出が実行されてから可変表示結果が導出されるときには、その可変表示結果が「大当り」となる可能性（大当り期待度）が高められる。
【０１０６】
図８（Ｂ３）に示す決定例では、スーパーＡのリーチ演出まで実行されて可変表示結果が導出される変動パターンＰＡ２−２の決定割合が、スーパーＡのリーチ演出が実行された後にスーパーＢのリーチ演出まで実行されて可変表示結果が導出される変動パターンＰＡ２−３の決定割合よりも高くなるように設定されている。これに対して、図８（Ｂ１）に示す決定例では、大当り種別が「非確変」の場合に、変動パターンＰＡ３−２の決定割合が変動パターンＰＡ３−３の決定割合よりも高くなる一方、大当り種別が「確変」の場合に、変動パターンＰＡ３−２の決定割合が変動パターンＰＡ３−３の決定割合よりも低くなるように設定されている。また、大当り時には、スーパーＢのリーチ演出が実行される変動パターンの決定割合が、ハズレ時よりも十分に高くなるように設定されている。したがって、可変表示結果が「大当り」となって遊技状態が大当り遊技状態となる場合には、大当り遊技状態とならない場合よりも高い割合で、スーパーＢのリーチ演出が実行されてから可変表示結果が導出される。
【０１０７】
図８（Ａ）に示すように、変動パターンＰＡ２−１〜ＰＡ２−３と、変動パターンＰＡ３−１〜ＰＡ３−３とでは、特図変動時間や内容が共通している一方で、可変表示結果が「ハズレ」となるか「大当り」となるかが異なっている。図８（Ｂ１）や図８（Ｂ３）に示す決定割合の設定により、スーパーリーチのリーチ演出が実行されたときには、ノーマルのリーチ演出が実行されたときよりも大当り期待度が高められる。また、スーパーＢのリーチ演出が実行されたときには、スーパーＡのリーチ演出が実行されたときよりも大当り期待度が高められる。
【０１０８】
こうして決定された変動パターンに対応して、特別図柄の可変表示時間である特図変動時間が設定される。特別図柄の可変表示時間となる特図変動時間は、特図ゲームにおいて特別図柄の変動を開始してから可変表示結果（特図表示結果）となる確定特別図柄が導出表示されるまでの所要時間である。また、変動パターンの決定に対応して、第１特別図柄表示装置４Ａにおける第１特図を用いた特図ゲームと、第２特別図柄表示装置４Ｂにおける第２特図を用いた特図ゲームのうち、開始条件が成立したいずれかの特図ゲームを開始させるように、特別図柄の変動を開始させるための設定が行われればよい。一例として、第１特別図柄表示装置４Ａと第２特別図柄表示装置４Ｂのいずれかに対して所定の駆動信号を伝送することにより、図柄の可変表示が開始されればよい。いずれの特別図柄表示装置における特別図柄を用いた特図ゲームを実行するかは、第１始動入賞口と第２始動入賞口のいずれを遊技球が通過したことに基づく特図ゲームであるかに応じて、設定されればよい。より具体的には、第１始動入賞口を遊技球が通過したことに基づいて、第１特別図柄表示装置４Ａによる特図ゲームが行われる。一方、第２始動入賞口を遊技球が通過したことに基づいて、第２特別図柄表示装置４Ｂによる特図ゲームが行われる。
【０１０９】
ステップＳ１１１の処理に続いて、可変表示開始時に対応した各種の制御コマンドを送信する（ステップＳ１１２）。例えば、ステップＳ１１２の処理では、可変表示の開始を指定する可変表示開始コマンドとして、第１変動開始コマンドまたは第２変動開始コマンドや、可変表示結果を通知する可変表示結果通知コマンド、変動パターンを指定する変動パターン指定コマンドなどを、送信するための設定が行われればよい。第１変動開始コマンドは、第１特別図柄表示装置４Ａによる第１特図を用いた特図ゲームが開始されることを通知する演出制御コマンドである。第２変動開始コマンドは、第２特別図柄表示装置４Ｂによる第２特図を用いた特図ゲームが開始されることを通知する演出制御コマンドである。また、可変表示の開始により保留数が減少することに対応して、減少後の保留数を通知する保留数通知コマンドを送信するための設定が行われてもよい。その後、特図プロセスフラグの値を“２”に更新してから（ステップＳ１１３）、特別図柄プロセス処理を終了する。
【０１１０】
特図プロセスフラグの値が“２”であるときには、可変表示時間が経過したか否かを判定する（ステップＳ１２１）。そして、可変表示時間が経過していない場合には（ステップＳ１２１；Ｎｏ）、特別図柄の可変表示制御を行ってから（ステップＳ１２２）、特別図柄プロセス処理を終了する。これに対して、可変表示時間が経過した場合には（ステップＳ１２１；Ｙｅｓ）、特別図柄の可変表示を停止させ、確定図柄を導出表示させる制御を行う（ステップＳ１２３）。
【０１１１】
ステップＳ１２３の処理に続いて、可変表示終了時に対応した各種の制御コマンドを送信する（ステップＳ１２４）。一例として、ステップＳ１２４の処理では、可変表示の終了（停止）を指示する可変表示終了コマンドや、可変表示結果が「大当り」の場合に大当り遊技状態の開始を指定する大当り開始指定コマンド（ファンファーレコマンド）などを、送信するための設定が行われればよい。
【０１１２】
ステップＳ１２４の処理を実行した後には、可変表示結果が「大当り」または「小当り」であるか否かを判定する（ステップＳ１２５）。そして、可変表示結果が「大当り」または「小当り」である場合には（ステップＳ１２５；Ｙｅｓ）、特図プロセスフラグの値を“３”に更新してから（ステップＳ１２６）、特別図柄プロセス処理を終了する。これに対して、可変表示結果が「大当り」や「小当り」ではなく「ハズレ」である場合には（ステップＳ１２５；Ｎｏ）、特図プロセスフラグをクリアして、その値を“０”に初期化してから（ステップＳ１２７）、特別図柄プロセス処理を終了する。なお、ステップＳ１２７の処理が実行されるときには、確変状態や時短状態を終了させるか否かの判定を行い、所定条件の成立に基づき終了させると判定したときに、これらの遊技状態を終了して通常状態に制御するための設定が行われてもよい。
【０１１３】
特図プロセスフラグの値が“３”であるときには、所定の当り終了条件が成立したか否かに応じて、大当り遊技状態や小当り遊技状態を終了させるか否かを判定する（ステップＳ１３１）。当り終了条件は、例えば大当り遊技状態において実行されるラウンドがすべて終了したことや、小当り遊技状態において大入賞口の開放回数が所定の上限回数に達したことなどであればよい。大当り遊技状態や小当り遊技状態を終了させない場合には（ステップＳ１３１；Ｎｏ）、大当り時や小当り時における遊技動作制御を行ってから（ステップ１３２）、特別図柄プロセス処理を終了する。これに対して、大当り遊技状態や小当り遊技状態を終了させる場合には（ステップＳ１３１；Ｙｅｓ）、大当り終了後または小当り終了後の遊技状態を制御するための設定を行う（ステップＳ１３３）。
【０１１４】
一例として、ステップＳ１３３の処理では、確変確定フラグがオンであるか否かを判定し、オンである場合には、遊技制御用マイクロコンピュータ１００におけるＲＡＭ１０２の所定領域に設けられた確変フラグをオン状態にセットする。これにより、可変表示結果を「大当り」とすることに決定したときに、大当り遊技状態の終了後における遊技状態を確変状態とすることが決定された場合には、この決定結果に対応して遊技状態を確変状態に制御することができる。時短状態に制御する場合にも、これに相当する設定が行われればよい。小当り遊技状態を終了するときには、その小当り遊技状態となる以前の遊技状態に継続して制御すればよい。その後、特図プロセスフラグをクリアして、その値を“０”に初期化してから（ステップＳ１３４）、特別図柄プロセス処理を終了する。
【０１１５】
次に、演出制御基板１２における動作を説明する。演出制御基板１２では、電源基板等から電源電圧の供給を受ける。起動用の電力供給が開始された演出制御用ＣＰＵ１２０では、所定の演出制御メイン処理が実行される。
【０１１６】
図９は、演出制御用ＣＰＵ１２０によって実行される演出制御メイン処理の一例を示すフローチャートである。図９に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。このときには、演出制御基板１２を含めたパチンコ遊技機１の全体に対する電力供給が開始されたことに応じて、例えばＲＡＭ１２２の所定領域（演出制御フラグ設定部など）に設けられた電力供給開始フラグをオン状態にセットする（ステップＳ７１Ａ）。その後、タイマ割込みフラグがオンとなっているか否かの判定を行う（ステップＳ７２）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７２；Ｎｏ）、ステップＳ７２の処理を繰り返し実行して待機する。
【０１１７】
また、演出制御基板１２の側では、所定時間が経過するごとに発生するタイマ割込みとは別に、主基板１１から演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドとなる制御信号を取り込む。このとき取り込まれた演出制御コマンドは、例えば演出制御バッファ設定部１９４に設けられた演出制御コマンド受信用バッファに格納する。一例として、演出制御コマンドが２バイト構成である場合には、１バイト目（ＭＯＤＥ）と２バイト目（ＥＸＴ）を順次に受信して演出制御コマンド受信用バッファに格納する。その後、演出制御用ＣＰＵ１２０は、割込み許可に設定してから、コマンド受信割込み処理を終了する。
【０１１８】
ステップＳ７２にてタイマ割込みフラグがオンである場合には（ステップＳ７２；Ｙｅｓ）、タイマ割込みフラグをクリアしてオフ状態にするとともに（ステップＳ７３）、コマンド解析処理を実行する（ステップＳ７４）。ステップＳ７４にて実行されるコマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。
【０１１９】
ステップＳ７４にてコマンド解析処理を実行した後には、演出カスタマイズ処理を実行する（ステップＳ７５）。演出カスタマイズ処理は、例えば遊技者によるスティックコントローラ３０やプッシュボタン３１Ｂの操作に応じて入力されたパスワードから抽出される各種情報に基づいて、パチンコ遊技機１における遊技や演出の実行履歴を示す遊技履歴情報を特定する処理などを含んでいればよい。このパスワードに基づいて特定された遊技履歴情報に対応して、例えば予告演出やリーチ演出といった、飾り図柄の可変表示が開始されてから可変表示結果が導出されるまでに実行される所定演出の演出態様を、通常の演出態様とは異なる特別な演出態様に変更してもよい。こうした特別な演出態様に変更された演出は、特典演出と称する。したがって、パスワードのような設定情報に応じて、特典演出の実行制御を有効化または無効化することができる。
【０１２０】
ステップＳ７５における演出カスタマイズ処理に続いて、演出制御プロセス処理を実行する（ステップＳ７６）。ステップＳ７６の演出制御プロセス処理では、例えば画像表示装置５の画面上における演出画像の表示動作、スピーカ８Ｌ、８Ｒからの音声出力動作、遊技効果ランプ９や装飾用ＬＥＤといった装飾発光体における点灯動作、演出用模型（可動部材）における駆動動作といった、各種の演出装置を用いた演出動作の制御内容について、主基板１１から送信された演出制御コマンド等に応じた判定や決定、設定などが行われる。
【０１２１】
ステップＳ７６の演出制御プロセス処理に続いて、演出用乱数更新処理が実行され（ステップＳ７８）、演出制御に用いる各種の乱数値として、演出制御カウンタ設定部１９３のランダムカウンタによってカウントされる演出用乱数を示す数値データを、ソフトウェアにより更新する。ステップＳ７７における演出用乱数更新処理に続いて、演出出力設定処理が実行される（ステップＳ７７）。演出出力設定処理は、例えばスピーカ８Ｌ、８Ｒから出力される音声の音量、遊技効果ランプ９や装飾用ＬＥＤなどを点灯させるときの光量といった、演出装置の出力量を変更するための処理などを含んでいればよい。ステップＳ７７にて演出出力設定処理を実行した後には、ステップＳ７２の処理に戻る。こうしたステップＳ７４〜Ｓ７７の処理を実行することなどによって、演出制御用ＣＰＵ１２０は、パチンコ遊技機１における遊技の進行に応じた演出の実行を制御する。
【０１２２】
図１０は、図９のステップＳ７５にて実行される演出カスタマイズ処理の一例を示すフローチャートである。パチンコ遊技機１では、遊技や演出の実行結果などに基づいて、遊技ポイント（「経験値」や「レベル」、「コイン」など、その名称は任意でよい）といった所定価値を遊技者に付与することができる。遊技ポイントは、パチンコ遊技機１における遊技履歴を示す遊技履歴情報に含まれて、所定の管理サーバにて遊技者ごとに管理されてもよい。管理サーバは、２次元コード読取機能や電気通信ネットワークへの接続機能を有する携帯端末から送信された遊技の結果などに基づいて、遊技者ごとの遊技履歴情報を更新していく。そして、遊技ポイントが所定値に達することにより、例えば所定のデジタルコンテンツ（楽曲や画像、アプリケーションプログラムなど）を提供できるようにしてもよい。
【０１２３】
図１０に示す演出カスタマイズ処理において、演出制御用ＣＰＵ１２０は、まず、演出カスタマイズの設定を行うためのカスタマイズ画面が画像表示装置５において表示中であるか否かを判定する（ステップＳ２０１）。カスタマイズ画面は、例えばデモンストレーション表示（デモ表示）の実行中といった、パチンコ遊技機１における遊技が開始されていない所定期間にて、プッシュボタン３１Ｂなどの操作手段に対する所定操作（押下操作など）が検出された場合に画像表示装置５に表示させることができればよい。
【０１２４】
ステップＳ２０１にてカスタマイズ画面の表示中ではない場合には（ステップＳ２０１；Ｎｏ）、カスタマイズ画面の表示を開始するための表示開始条件が成立したか否かを判定する（ステップＳ２０２）。演出制御用ＣＰＵ１２０は、例えばパチンコ遊技機１における遊技が開始されていない所定期間にて、プッシュボタン３１Ｂなどの操作手段に対する所定操作（押下操作など）が検出されたときに、表示開始条件が成立したと判定すればよい。表示開始条件が成立した場合には（ステップＳ２０２；Ｙｅｓ）、カスタマイズ画面の表示を開始させるための設定を行う（ステップＳ２０３）。一方、表示開始条件が成立していない場合には（ステップＳ２０２；Ｎｏ）、例えばＲＡＭ１２２の所定領域（演出制御フラグ設定部など）に設けられた変更制限フラグがオンであるか否かを判定する（ステップＳ２０４Ａ）。変更制限フラグは、例えばボタン操作の予告演出といった、所定の操作手段に対する所定操作に応じて演出内容（演出内容）を変化させる演出が開始されるときに、オン状態にセットされる（図１５のステップＳ４０２を参照）。
【０１２５】
ステップＳ２０４Ａにて変更制限フラグがオフである場合には（ステップＳ２０４Ａ；Ｎｏ）、簡単スタートの指示があったか否かを判定する（ステップＳ２０４Ｂ）。簡単スタートは、例えば飾り図柄の可変表示中といった、パチンコ遊技機１における遊技の実行中でも、プッシュボタン３１Ｂに対する所定操作が検出されたときなどに、その開始を指示できればよい。ただし、ステップＳ２０４Ａにて変更制限フラグがオンであると判定された場合には、ステップＳ２０４Ｂの処理が実行されないことから、簡単スタートの指示が受け付けられないように制限が設けられる。
【０１２６】
ステップＳ２０４Ｂにて簡単スタートの指示があった場合には（ステップＳ２０４Ｂ；Ｙｅｓ）、簡単スタート用の演出設定を行う（ステップＳ２０５）。例えば演出制御用ＣＰＵ１２０は、ＲＡＭ１２２の所定領域に記憶されている履歴記録管理テーブルにおける遊技履歴の記録を読み出し、その読出結果に応じたレベルや経験値、キャラクタなどを設定し、これらの設定を特定可能に報知する。履歴記録管理テーブルには、パチンコ遊技機１における遊技の履歴として、予めミッション対象として定められた遊技内容ごとに達成（既に実行済み）または未達（未だ実行せず）を示すデータが格納されている。履歴記録管理テーブルにおける遊技履歴の記録は、簡単スタートの指示がなくても更新可能であるが、所定条件が成立したときに簡単スタートの指示などによる演出カスタマイズの開始がなければクリア（初期化）される。こうしたパチンコ遊技機１における遊技履歴の内容に応じて、画像表示装置５の画面上に表示される演出画像の表示態様や、スピーカ８Ｌ、８から出力される楽曲などの種類、遊技効果ランプ９および装飾用などの点灯パターンが、予め用意された複数種類のいずれかに設定できればよい。演出制御用ＣＰＵ１２０は、このような簡単スタートによる演出カスタマイズの設定情報（カスタマイズ設定情報）を、ＲＡＭ１２２の所定領域に格納することなどにより、演出カスタマイズが行われていない通常時とは異なる演出態様での演出（特典演出）の実行などを制御できればよい。
【０１２７】
ステップＳ２０１にてカスタマイズ画面を表示中であると判定された場合には（ステップＳ２０１；Ｙｅｓ）、カスタマイズ画面の表示を終了するための表示終了条件が成立したか否かを判定する（ステップＳ２０６）。演出制御用ＣＰＵ１２０は、例えばカスタマイズ画面にて表示の終了を指示する項目が選択されたときや、飾り図柄の可変表示が開始されるときに、表示終了条件が成立したと判定すればよい。表示終了条件が成立した場合には（ステップＳ２０６；Ｙｅｓ）、カスタマイズ画面の表示を終了させるための設定を行う（ステップＳ２０７）。一方、表示終了条件が成立していない場合には（ステップＳ２０６；Ｎｏ）、カスタマイズ画面の表示中に演出カスタマイズの開始要求があったか否かを判定する（ステップＳ２０８）。演出制御用ＣＰＵ１２０は、例えばパスワードの入力が行われたり、カスタマイズ画面にて簡単スタートを指示する項目が選択されたときに、演出カスタマイズの開始要求があったと判定すればよい。
【０１２８】
ステップＳ２０８にて演出カスタマイズの開始要求があった場合には（ステップＳ２０８；Ｙｅｓ）、演出カスタマイズを開始するために必要となるカスタマイズ情報を取得する（ステップＳ２０９）。例えばカスタマイズ画面の表示後にパスワードの入力が行われた場合に、そのパスワードを示すデータをカスタマイズ情報として取得する。このとき取得したカスタマイズ情報に基づいて、演出カスタマイズの指示が有効であるか否かを判定する（ステップＳ２１０）。例えば演出制御用ＣＰＵ１２０は所定のパスワード解析処理を実行して、入力されたパスワードが有効であるか否かを判定すればよい。ステップＳ２１０にて演出カスタマイズの指示が有効ではないと判定された場合には（ステップＳ２１０；Ｎｏ）、演出カスタマイズ処理を終了する。一方、演出カスタマイズの指示が有効であると判定された場合には（ステップＳ２１０；Ｙｅｓ）、演出カスタマイズを開始するための設定を行う（ステップＳ２１１）。例えばステップＳ２１１の処理では、パスワードから特定されるレベルや経験値その他の遊技履歴に応じて、画像表示装置５の画面上に表示される演出画像の表示態様や、スピーカ８Ｌ、８Ｒから出力される楽曲などの種類、遊技効果ランプ９および装飾用ＬＥＤなどの点灯パターンが、予め用意された複数種類のいずれかに設定されればよい。また、遊技履歴に応じた演出モードを設定して、その演出モードに応じた演出画像の表示などが行われるようにしてもよい。演出制御用ＣＰＵ１２０は、このような演出カスタマイズの設定情報（カスタマイズ設定情報）を、ＲＡＭ１２２の所定領域に格納することなどにより、演出カスタマイズが行われていない通常時とは異なる演出態様での演出（特典演出）の実行などを制御できればよい。
【０１２９】
ステップＳ２０８にて演出カスタマイズの開始要求がない場合には（ステップＳ２０８；Ｎｏ）、カスタマイズ情報の出力要求があったか否かを判定する（ステップＳ２１２）。演出制御用ＣＰＵ１２０は、例えばカスタマイズ画面にてカスタマイズ情報となる２次元コードの表示を指示する項目が選択されたときなどに、カスタマイズ情報の出力要求があったと判定すればよい。
【０１３０】
ステップＳ２１２にてカスタマイズ情報の出力要求があった場合には（ステップＳ２１２；Ｙｅｓ）、カスタマイズ情報を出力する（ステップＳ２１３）。例えばステップＳ２１３の処理では、履歴記録管理テーブルをチェックして、遊技履歴に応じた所定のコード（２次元コードなど）を画像表示装置５の画面上に表示して出力するための制御が行われる。例えば２次元コードとして、パチンコ遊技機１の機種を示す機種情報や遊技者ＩＤの他に、可変表示回数や大当り回数、レベル、経験値などを特定可能な情報、および、遊技者が所持する端末装置を用いて所定の管理サーバにアクセスするためのネットワークアドレスなどを含むコードが出力されればよい。遊技者は、端末装置を操作して、画像表示装置５の画面上などに表示された２次元コードを撮像させ、端末装置の内部に取り込ませることができればよい。こうした２次元コードなどに基づいて、所定のネットワークアドレス（具体例としてＵＲＬやＩＰアドレスなど）を端末装置により指定してアクセスした管理サーバにて、次回の演出カスタマイズで使用可能なパスワードなどが発行されればよい。なお、パチンコ遊技機１から出力されたコードを遊技者が端末装置に取り込むことにより、次回の演出カスタマイズで使用可能なカスタマイズ情報が発行されてもよい。あるいは、管理サーバから端末装置にダウンロードされて実行されたアプリケーションプログラムにより、演出カスタマイズで使用可能なカスタマイズ情報が発行されてもよい。
【０１３１】
ステップＳ２１２にてカスタマイズ情報の出力要求がない場合には（ステップＳ２１２；Ｎｏ）、演出カスタマイズの終了要求があったか否かを判定する（ステップＳ２１４）。演出制御用ＣＰＵ１２０は、例えばカスタマイズ画面にて演出カスタマイズの終了を指示する項目が選択されたときなどに、演出カスタマイズの終了要求があったと判定すればよい。ステップＳ２１４にて演出カスタマイズの終了要求がない場合には（ステップＳ２１４；Ｎｏ）、演出カスタマイズ処理を終了する。一方、演出カスタマイズの終了要求があったと判定された場合には（ステップＳ２１４；Ｙｅｓ）、演出カスタマイズを終了するための設定を行う（ステップＳ２１５）。例えばステップＳ２１５の処理では、履歴記録管理テーブルをクリア（初期化）することにより、遊技履歴情報を消去すればよい。
【０１３２】
図１１は、図９のステップＳ７６にて実行される演出制御プロセス処理の一例を示すフローチャートである。図１１に示す演出制御プロセス処理において、演出制御用ＣＰＵ１２０は、ＲＡＭ１２２の所定領域（例えば演出制御フラグ設定部）に設けられた演出プロセスフラグの値に応じて、以下のようなステップＳ１７０〜Ｓ１７７の処理のいずれかを選択して実行する。
【０１３３】
ステップＳ１７０の可変表示開始待ち処理は、演出プロセスフラグの値が“０”のときに実行される処理である。この可変表示開始待ち処理は、主基板１１からの第１変動開始コマンドあるいは第２変動開始コマンドなどを受信したか否かに基づき、画像表示装置５における飾り図柄の可変表示を開始するか否かを判定する処理などを含んでいる。
【０１３４】
ステップＳ１７１の可変表示開始設定処理は、演出プロセスフラグの値が“１”のときに実行される処理である。この可変表示開始設定処理は、第１特別図柄表示装置４Ａや第２特別図柄表示装置４Ｂによる特図ゲームにおいて特別図柄の可変表示が開始されることに対応して、画像表示装置５における飾り図柄の可変表示や、その他の各種演出動作を行うために、特別図柄の変動パターンや表示結果の種類などに応じた確定飾り図柄や各種の演出制御パターンを決定する処理などを含んでいる。このような可変表示開始設定処理において確定飾り図柄を決定することで、飾り図柄の可変表示結果を、その可変表示結果が導出表示されるより前に決定できる。
【０１３５】
ステップＳ１７２の可変表示中演出処理は、演出プロセスフラグの値が“２”のときに実行される処理である。この可変表示中演出処理において、演出制御用ＣＰＵ１２０は、ＲＡＭ１２２の所定領域（例えば演出制御タイマ設定部）に設けられた演出制御プロセスタイマにおけるタイマ値に対応して、演出制御パターンから各種の制御データを読み出し、飾り図柄の可変表示中における各種の演出制御を行う。こうした演出制御を行った後、所定の演出制御パターン（例えば特図変動時演出制御パターン）から飾り図柄の可変表示終了を示す終了コードが読み出されたこと、あるいは、主基板１１から伝送される図柄確定コマンドを受信したことなどに対応して、飾り図柄の可変表示結果となる最終停止図柄としての確定飾り図柄を完全停止表示させる。特図変動時演出制御パターンから終了コードが読み出されたことに対応して確定飾り図柄を完全停止表示させるようにすれば、変動パターン指定コマンドにより指定された変動パターンに対応する可変表示時間が経過したときに、主基板１１からの演出制御コマンドによらなくても、演出制御基板１２の側で自律的に確定飾り図柄を導出表示して可変表示結果を確定させることができる。確定飾り図柄を完全停止表示したときには、演出プロセスフラグの値が“３”に更新される。
【０１３６】
ステップＳ１７３の特図当り待ち処理は、演出プロセスフラグの値が“３”のときに実行される処理である。この特図当り待ち処理において、演出制御用ＣＰＵ１２０は、主基板１１から伝送された当り開始指定コマンドの受信があったか否かを判定する。そして、当り開始指定コマンドを受信したきに、その当り開始指定コマンドが大当り遊技状態の開始を指定するものであれば、演出プロセスフラグの値を大当り中演出処理に対応した値である“６”に更新する。これに対して、当り開始指定コマンドを受信したときに、その当り開始指定コマンドが小当り遊技状態の開始を指定するものであれば、演出プロセスフラグの値を小当り中演出処理に対応した値である“４”に更新する。また、当り開始指定コマンドを受信せずに、演出制御プロセスタイマがタイムアウトしたときには、特図ゲームにおける可変表示結果（特図表示結果）が「ハズレ」であったと判断して、演出プロセスフラグの値を初期値である“０”に更新する。
【０１３７】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態における各種の演出制御を実行する。また、小当り中演出処理では、例えば主基板１１からの当り終了指定コマンドを受信したことに対応して、演出プロセスフラグの値を小当り終了演出に対応した値である“５”に更新する。
【０１３８】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、小当り遊技状態の終了時における各種の演出制御を実行する。その後、演出プロセスフラグの値を初期値である“０”に更新する。
【０１３９】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態における各種の演出制御を実行する。また、大当り中演出処理では、例えば主基板１１からの当り終了指定コマンドを受信したことに対応して、演出制御プロセスフラグの値をエンディング演出処理に対応した値である“７”に更新する。
【０１４０】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく演出画像を画像表示装置５の表示画面に表示させることや、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、大当り遊技状態の終了時における各種の演出制御を実行する。その後、演出プロセスフラグの値を初期値である“０”に更新する。
【０１４１】
図１２は、図１１のステップＳ１７１にて実行される可変表示開始設定処理の一例を示すフローチャートである。図１２に示す可変表示開始設定処理において、演出制御用ＣＰＵ１２０は、まず、飾り図柄の可変表示結果としての確定飾り図柄となる最終停止図柄などを決定する（ステップＳ３１１）。ステップＳ３１１の処理として、演出制御用ＣＰＵ１２０は、主基板１１から伝送された変動パターン指定コマンドで示された変動パターンや、可変表示結果通知コマンドで示された可変表示結果といった、可変表示内容に基づいて、最終停止図柄を決定する。この実施の形態では、変動パターンや可変表示結果の組合せに応じた可変表示内容として、「非リーチ（ハズレ）」、「リーチ（ハズレ）」、「小当り」、「非確変（大当り）」、「確変（大当り）」、「突確（大当り）」がある。
【０１４２】
可変表示内容が「非リーチ（ハズレ）」の場合には、飾り図柄の可変表示態様がリーチ態様にはならずに、非リーチ組合せの確定飾り図柄が停止表示されて、可変表示結果が「ハズレ」となる。可変表示内容が「リーチ（ハズレ）」の場合には、飾り図柄の可変表示態様がリーチ態様となった後に、リーチハズレ組合せの確定飾り図柄が停止表示されて、可変表示結果が「ハズレ」となる。なお、可変表示内容が「リーチ（ハズレ）」となる場合には、ノーマルのリーチ演出が実行される場合に対応した「ノーマル（ハズレ）」の可変表示内容と、スーパーのリーチ演出が実行される場合に対応した「スーパー（ハズレ）」の可変表示内容とがあってもよい。可変表示内容が「小当り」の場合には、飾り図柄の可変表示態様がリーチ態様にはならずに、短期開放チャンス目として予め定められた特殊組合せの確定飾り図柄が停止表示されて、可変表示結果が「小当り」となる。可変表示内容が「非確変（大当り）」の場合には、可変表示結果が「大当り」で大当り種別が「非確変」となる。可変表示内容が「確変（大当り）」の場合には、可変表示結果が「大当り」で大当り種別が「確変」となる。可変表示内容が「突確（大当り）」の場合には、可変表示結果が「大当り」で大当り種別が「突確」となる。
【０１４３】
可変表示内容が「非リーチ（ハズレ）」である場合に、「左」及び「右」の飾り図柄表示エリア５Ｌ、５Ｒにて異なる（不一致の）飾り図柄を最終停止図柄に決定する。演出制御用ＣＰＵ１２０は、乱数回路１２４またはＲＡＭ１２２の所定領域（演出制御カウンタ設定部など）に設けられた演出用ランダムカウンタ等により更新される左確定図柄決定用の乱数値を示す数値データを抽出し、ＲＯＭ１２１に予め記憶されて用意された左確定図柄決定テーブルを参照することなどにより、確定飾り図柄のうち画像表示装置５の表示領域における「左」の飾り図柄表示エリア５Ｌに停止表示される左確定飾り図柄を決定する。次に、乱数回路１２４または演出用ランダムカウンタ等により更新される右確定図柄決定用の乱数値を示す数値データを抽出し、ＲＯＭ１２１に予め記憶されて用意された右確定図柄決定テーブルを参照することなどにより、確定飾り図柄のうち画像表示装置５の表示領域における「右」の飾り図柄表示エリア５Ｒに停止表示される右確定飾り図柄を決定する。このときには、右確定図柄決定テーブルにおける設定などにより、右確定飾り図柄の図柄番号が左確定飾り図柄の図柄番号とは異なるように、決定されるとよい。続いて、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃに停止表示される中確定飾り図柄を決定する。
【０１４４】
可変表示内容が「リーチ（ハズレ）」である場合には、「左」及び「右」の飾り図柄表示エリア５Ｌ、５Ｒにて同一の（一致する）飾り図柄を最終停止図柄に決定する。演出制御用ＣＰＵ１２０は、乱数回路１２４または演出用ランダムカウンタ等により更新される左右確定図柄決定用の乱数値を示す数値データを抽出し、ＲＯＭ１２１に予め記憶されて用意された左右確定図柄決定テーブルを参照することなどにより、確定飾り図柄のうち画像表示装置５の表示領域における「左」と「右」の飾り図柄表示エリア５Ｌ、５Ｒにて揃って停止表示される図柄番号が同一の飾り図柄を決定する。さらに、乱数回路１２４または演出用ランダムカウンタ等により更新される中確定図柄決定用の乱数値を示す数値データを抽出し、ＲＯＭ１２１に予め記憶されて用意された中確定図柄決定テーブルを参照することなどにより、確定飾り図柄のうち画像表示装置５の表示領域における「中」の飾り図柄表示エリア５Ｃにて停止表示される中確定飾り図柄を決定する。ここで、例えば中確定飾り図柄の図柄番号が左確定飾り図柄及び右確定飾り図柄の図柄番号と同一になる場合のように、確定飾り図柄が大当り組合せとなってしまう場合には、任意の値（例えば「１」）を中確定飾り図柄の図柄番号に加算または減算することなどにより、確定飾り図柄が大当り組合せとはならずにリーチ組合せとなるようにすればよい。あるいは、中確定飾り図柄を決定するときには、左確定飾り図柄及び右確定飾り図柄の図柄番号との差分（図柄差）を決定し、その図柄差に対応する中確定飾り図柄を設定してもよい。
【０１４５】
可変表示内容が「小当り」である場合には、「左」、「中」、「右」の飾り図柄表示エリア５Ｌ、５Ｃ、５Ｒにて短期開放チャンス目として予め定められた特殊組合せとなる飾り図柄を最終停止図柄に決定する。演出制御用ＣＰＵ１２０は、乱数回路１２４または演出用ランダムカウンタ等により更新される短期開放チャンス目決定用の乱数値を示す数値データを抽出する。続いて、ＲＯＭ１２１に予め記憶されて用意された短期開放チャンス目決定テーブルを参照することなどにより、複数種類の短期開放チャンス目のうちで、最終停止図柄となる飾り図柄の組合せを決定する。
【０１４６】
可変表示内容が「非確変（大当り）」や「確変（大当り）」である場合には、「左」、「中」、「右」の飾り図柄表示エリア５Ｌ、５Ｃ、５Ｒにて同一の（一致する）飾り図柄を最終停止図柄に決定する。演出制御用ＣＰＵ１２０は、乱数回路１２４または演出用ランダムカウンタ等により更新される大当り確定図柄決定用の乱数値を示す数値データを抽出する。続いて、ＲＯＭ１２１に予め記憶されて用意された大当り確定図柄決定テーブルを参照することなどにより、画像表示装置５の表示領域における「左」、「中」、「右」の飾り図柄表示エリア５Ｌ、５Ｃ、５Ｒに揃って停止表示される図柄番号が同一の飾り図柄を決定する。このときには、大当り種別が「非確変」と「確変」のいずれであるかや、大当り中昇格演出が実行されるか否かなどに応じて、通常図柄と確変図柄のいずれを確定飾り図柄とするかが決定されればよい。具体的には、大当り種別が「非確変」である場合には、複数種類の通常図柄のうちから、確定飾り図柄となるものを決定する。また、大当り種別が「確変」で大当り中昇格演出を実行しないと決定されたときには、複数種類の確変図柄のうちから、確定飾り図柄となるものを決定する。これに対して、大当り種別が「確変」であっても大当り中昇格演出を実行すると決定されたときには、複数種類の通常図柄のうちから、確定飾り図柄となるものを決定する。これにより、確定飾り図柄として確変図柄が揃って導出表示されたにもかかわらず、大当り中昇格演出が実行されてしまうことを防止して、遊技者に不信感を与えないようにすればよい。
【０１４７】
可変表示内容が「突確（大当り）」である場合には、変動パターン指定コマンドにより指定された変動パターンに応じて、短期開放チャンス目を構成する飾り図柄、または、リーチ組合せとなる飾り図柄を、最終停止図柄に決定する。例えば図８（Ａ）に示す変動パターンのうち、可変表示結果が「大当り」で大当り種別が「突確」に対応して変動パターンＰＣ１−１が指定された場合には、可変表示内容が「小当り」である場合と同様にして、短期開放チャンス目を構成する飾り図柄を、最終停止図柄に決定すればよい。一方、変動パターンＰＣ２−１が指定された場合には、可変表示内容が「リーチ（ハズレ）」である場合と同様にして、リーチ組合せとなる飾り図柄を、最終停止図柄に決定すればよい。
【０１４８】
ステップＳ３１１の処理では、可変表示内容が「非確変（大当り）」または「確変（大当り）」である場合に、再抽選演出や大当り中昇格演出といった確変昇格演出を実行するか否かが決定されてもよい。再抽選演出では、飾り図柄の可変表示中に同一の通常図柄からなる非確変大当り組合せの飾り図柄が一旦表示されることによって、確変状態に制御されることを一旦は認識困難または認識不能とし、飾り図柄を再び可変表示（再変動）させて同一の確変図柄からなる確変大当り組合せの飾り図柄が停止表示されることによって確変状態に制御されることを報知できる。なお、再抽選演出にて飾り図柄を再変動させた後に非確変大当り組合せの飾り図柄が停止表示されることにより、確変状態に制御されることを報知しない場合もある。また、大当り遊技状態中や大当り遊技状態の終了時に大当り中昇格演出を実行することによって確変状態に制御されることを報知できればよい。ステップＳ５０１の処理にて再抽選演出を実行すると決定された場合には、再抽選演出の実行前に仮停止表示する飾り図柄の組合せなどを決定すればよい。
【０１４９】
ステップＳ３１１における最終停止図柄などの決定に続いて、予告演出の有無や、予告演出を実行する場合の演出態様に対応する予告演出種別を決定する（ステップＳ３１５）。演出制御用ＣＰＵ１２０は、例えば予めＲＯＭ１２１の所定領域に記憶するなどして用意された予告演出種別決定用データを選択して、予告演出の有無や予告演出種別などを決定すればよい。予告演出種別決定用データでは、例えば可変表示内容などに応じて、予告演出種別決定用の乱数値と比較される数値（決定値）が、予告演出の有無や予告演出種別に、割り当てられていればよい。演出制御用ＣＰＵ１２０は、乱数回路１２４または演出用ランダムカウンタ等により更新される予告演出種別決定用の乱数値を示す数値データに基づいて、予告演出種別決定用データを参照することにより、予告演出の有無や予告演出種別を決定すればよい。
【０１５０】
図１３（Ａ）は、ステップＳ３１５の処理における予告演出種別（予告演出の有無を含む）の決定例を示している。この実施の形態では、複数の予告演出種別として、ボタン操作、ステップアップ、レバー操作が予め用意されている。ボタン操作の予告演出種別は、プッシュボタン３１Ｂに対する遊技者による所定操作（押下操作など）が検出されたタイミングにて所定の演出動作が行われ、その演出態様などに応じて可変表示結果が「大当り」となる可能性などを予告する。ステップアップの予告演出種別は、画像表示装置５の画面上における演出画像の表示態様が複数段階に変化するなどの演出動作が実行されればよい。このように、ステップアップの予告演出種別は、特図ゲームの開始条件（第１開始条件または第２開始条件）が１回成立したことに対応して、飾り図柄の可変表示が開始されてから可変表示結果となる最終停止図柄が導出表示されるまでに、演出態様が所定の順番に従って１段階から複数段階まで変化（ステップアップ）することにより、可変表示結果が「大当り」となる可能性などを予告する。「ステップアップ」の予告演出では、演出態様が変化する回数（ステップ数）に応じて大当り信頼度が異なり、ステップ数が多いときに、ステップ数が少ないときよりも、大当り信頼度が高いことを示唆できればよい。すなわち、可変表示結果が「大当り」で大当り遊技状態となる場合には、大当り遊技状態とならない場合よりも高い割合で、予め定められた段階まで演出態様が変化する。「ステップアップ」の予告演出における演出態様の変化（ステップアップ）としては、異なるキャラクタ画像が順番に表示されるものであってもよいし、１つのキャラクタにおける形状や表示色、表示柄といった、表示態様の一部または全部が変化することでステップアップするようなものであってもよい。すなわち、遊技者からみて予告する手段（表示、音、ランプ、可動部材等）の状態が少なくとも一部は段階的に変化したと認識可能なものであればよい。キャラクタ画像の表示によるステップアップの他にも、可動部材が繰返し動作する回数や同時に動作する部材数、動作する部材の種類などを異ならせることにより、大当り信頼度を異ならせてもよい。レバー操作の予告演出種別は、スティックコントローラ３０の操作桿（レバー）に対する遊技者による所定操作（傾倒操作など）が検出されたタイミングにて所定の演出動作が行われ、その演出態様などに応じて可変表示結果が「大当り」となる可能性などを予告する。
【０１５１】
図１３（Ｂ）は、パチンコ遊技機１にて用いられる予告演出種別の設定例を示している。各予告演出種別は、複数の予告演出パターンが分類されて属するグループであって、共通する演出態様を含む予告演出パターンのグループごとに区分けされていればよい。ボタン操作の予告演出種別は、予告演出パターンＹＫＰ１−１〜予告演出パターンＹＫＰ１−４が属するグループである。ステップアップの予告演出種別は、予告演出パターンＹＫＰ２−１〜予告演出パターンＹＫＰ２−４が属するグループである。レバー操作の予告演出種別は、予告演出パターンＹＫＰ３−１〜予告演出パターンＹＫＰ３−４が属するグループである。
【０１５２】
図１２に示すステップＳ３１５の処理による決定に基づいて、予告演出を実行しない場合に対応した「実行なし」であるか否かを判定する（ステップＳ３１６）。このとき、「実行なし」ではなくボタン操作、ステップアップ、レバー操作の予告演出種別のいずれかであると判定された場合には（ステップＳ３１６；Ｎｏ）、予告演出パターンを決定する（ステップＳ３１７）。例えば演出制御用ＣＰＵ１２０は、予告演出種別に応じて予め用意された予告演出パターン決定用データを選択する。予告演出パターン決定用データでは、例えば可変表示内容などに応じて、予告演出パターン決定用の乱数値と比較される数値（決定値）が、予告演出パターンの決定結果に、割り当てられていればよい。演出制御用ＣＰＵ１２０は、乱数回路１２４または演出用ランダムカウンタ等により更新される予告演出パターン決定用の乱数値を示す数値データに基づいて、予告演出パターン決定用データを参照することにより、予告演出パターンを決定すればよい。
【０１５３】
図１３に示すステップＳ３１６の処理にて「実行なし」と判定された場合や（ステップＳ３１６；Ｙｅｓ）、ステップＳ３１７の処理を実行した後には、演出制御パターンを予め用意された複数パターンのいずれかに決定する（ステップＳ３２０）。例えば、演出制御用ＣＰＵ１２０は、変動パターン指定コマンドで示された変動パターンなどに対応して、複数用意された特図変動時演出制御パターンのいずれかを選択し、使用パターンとしてセットする。また、演出制御用ＣＰＵ１２０は、ステップＳ３１７の処理による予告演出パターンの決定結果に対応して、複数用意された演出制御パターンのいずれかを選択し、使用パターンとしてセットする。
【０１５４】
ステップＳ３２０の処理に続いて、例えば変動パターン指定コマンドにより指定された変動パターンなどに基づき、ＲＡＭ１２２の所定領域（演出制御タイマ設定部など）に設けられた演出制御プロセスタイマの初期値を設定する（ステップＳ３２１）。そして、画像表示装置５における飾り図柄などの変動を開始させるための設定を行う（ステップＳ３２２）。このときには、例えばステップＳ３２０にて使用パターンとして決定された演出制御パターンに含まれる表示制御データが指定する表示制御指令を表示制御部１２３のＶＤＰ等に対して伝送させることなどにより、画像表示装置５の表示画面に設けられた「左」、「中」、「右」の各飾り図柄表示エリア５Ｌ、５Ｃ、５Ｒにて飾り図柄の変動を開始させればよい。
【０１５５】
ステップＳ３２２の処理に続き、飾り図柄の可変表示が開始されることに対応して、始動入賞記憶表示エリア５Ｈにおける保留記憶表示を更新するための設定を行う（ステップＳ３２３）。例えば、始動入賞記憶表示エリア５Ｈにおいて保留番号が「１」に対応した表示部位を消去するとともに、全体の表示部位を１つずつ左方向に移動させればよい。その後、演出プロセスフラグの値を可変表示中演出処理に対応した値である“２”に更新してから（ステップＳ３２４）、可変表示開始設定処理を終了する。
【０１５６】
図１４は、図１１のステップＳ１７２にて実行される可変表示中演出処理の一例を示すフローチャートである。図１４に示す可変表示中演出処理において、演出制御用ＣＰＵ１２０は、まず、例えば演出制御プロセスタイマ値などに基づいて、可変表示時間が経過したか否かを判定する（ステップＳ３３１）。一例として、ステップＳ３３１の処理では、演出制御プロセスタイマ値を更新（例えば１減算）し、更新後の演出制御プロセスタイマ値に対応して演出制御パターンから終了コードが読み出されたときなどに、可変表示時間が経過したと判定すればよい。
【０１５７】
ステップＳ３３１にて可変表示時間が経過していない場合には（ステップＳ３３１；Ｎｏ）、ボタン操作予告演出期間であるか否かを判定する（ステップＳ３３２）。ボタン操作予告演出期間は、例えば図１２に示すステップＳ３１５の処理にてボタン操作の予告演出種別に決定されたことに基づいて、ステップＳ３２０の処理にて選択された演出制御パターンにおいて、予め定められていればよい。ステップＳ３３２にてボタン操作予告演出期間であるときには（ステップＳ３３２；Ｙｅｓ）、ボタン操作予告演出制御処理を実行する（ステップＳ３３３）。
【０１５８】
ステップＳ３３２にてボタン操作予告演出期間ではないと判定されたときや（ステップＳ３３２；Ｎｏ）、ステップＳ３３３のボタン操作予告演出制御処理を実行した後には、ステップアップ予告演出期間であるか否かを判定する（ステップＳ３３４）。ステップアップ予告演出期間は、例えば図１２に示すステップＳ３１５の処理にてステップアップの予告演出種別に決定されたことに基づいて、ステップＳ３２０の処理にて選択された演出制御パターンにおいて、予め定められていればよい。なお、図１２に示すステップＳ３１５の処理では、ボタン操作、ステップアップ、レバー操作の予告演出種別のいずれかを択一的に決定可能であり、１の予告演出種別に決定されたときには、他の予告演出種別が決定されることはない。そこで、ステップＳ３３２にてボタン操作予告演出期間ではないと判定されたときにのみ、ステップＳ３３４の処理に進むようにしてもよい。
【０１５９】
ステップＳ３３４にてステップアップ予告演出期間であるときには（ステップＳ３３４；Ｙｅｓ）、ステップアップの予告演出を実行するための演出制御を行う（ステップＳ３３５）。ステップＳ３３５の処理では、例えば予告演出パターンの決定結果に応じて選択された演出制御パターンから、演出制御実行データを読み出す。こうして読み出された演出制御実行データに基づいて作成した各種指令を、表示制御部１２３や音声制御基板１３、ランプ制御基板１４などに対して伝送させる。これにより、画像表示装置５の画面上に所定の演出画像を表示させることや、スピーカ８Ｌ、８Ｒから所定の効果音を出力させること、遊技効果ランプ９および装飾用ＬＥＤを点灯または点滅または消灯させること、あるいは、これらの一部または全部を組み合わせることで、所定の演出装置にてステップアップの予告演出種別に分類される予告演出を実行すればよい。
【０１６０】
ステップＳ３３４にてステップアップ予告演出期間ではないと判定されたときや（ステップＳ３３４；Ｎｏ）、ステップＳ３３５の処理を実行した後には、レバー操作予告演出期間であるか否かを判定する（ステップＳ３３６）。レバー操作予告演出期間は、例えば図１２に示すステップＳ３１５の処理にてレバー操作の予告演出種別に決定されたことに基づいて、ステップＳ３２０の処理にて選択された演出制御パターンにおいて、予め定められていればよい。ステップＳ３３６にてレバー操作予告演出期間であるときには（ステップＳ３３６；Ｙｅｓ）、レバー操作の予告演出を実行するための演出制御を行う（ステップＳ３３７）。ステップＳ３３７の処理では、例えば予告演出パターンの決定結果に応じて選択された演出制御パターンから、演出制御実行データを読み出す。こうして読み出された演出制御実行データに基づいて作成した各種指令を、表示制御部１２３や音声制御基板１３、ランプ制御基板１４などに対して伝送させる。これにより、画像表示装置５の画面上に所定の演出画像を表示させることや、スピーカ８Ｌ、８Ｒから所定の効果音を出力させること、遊技効果ランプ９および装飾用ＬＥＤを点灯または点滅または消灯させること、あるいは、これらの一部または全部を組み合わせることで、所定の演出装置にてレバー操作の予告演出種別に分類される予告演出を実行すればよい。
【０１６１】
ステップＳ３３６にてレバー操作予告演出期間ではないと判定されたときや（ステップＳ３３６；Ｎｏ）、ステップＳ３３７の処理を実行した後には、リーチ演出期間であるか否かを判定する（ステップＳ３３８）。リーチ演出期間は、例えば図１２に示すステップＳ３２０の処理にて変動パターンに応じて選択された演出制御パターンにおいて、予め定められていればよい。ステップＳ３３８にてリーチ演出期間であるときには（ステップＳ３３８；Ｙｅｓ）、リーチ演出を実行するためのリーチ演出制御処理を実行する（ステップＳ３３９）。ステップＳ３３８にてリーチ演出期間ではないと判定されたときや（ステップＳ３３８；Ｎｏ）、ステップＳ３３９の処理を実行した後には、例えば変動パターンに対応して選択された演出制御パターンにおける設定などに基づいて、飾り図柄の可変表示動作を含めたその他の演出動作制御を行ってから（ステップＳ３４０）、可変表示中演出処理の実行を終了する。
【０１６２】
ステップＳ３３１にて可変表示時間が経過した場合には（ステップＳ３３１；Ｙｅｓ）、主基板１１から伝送される図柄確定コマンドの受信があったか否かを判定する（ステップＳ３４１）。このとき、図柄確定コマンドの受信がなければ（ステップＳ３４１；Ｎｏ）、可変表示中演出処理を終了して待機する。なお、可変表示時間が経過した後、図柄確定コマンドを受信することなく所定時間が経過した場合には、図柄確定コマンドを正常に受信できなかったことに対応して、所定のエラー処理が実行されるようにしてもよい。
【０１６３】
ステップＳ３４１にて図柄確定コマンドの受信があった場合には（ステップＳ３４１；Ｙｅｓ）、例えば表示制御部１２３のＶＤＰ等に対して所定の表示制御指令を伝送させることといった、飾り図柄の可変表示において表示結果となる最終停止図柄（確定飾り図柄）を導出表示させる制御を行う（ステップＳ３４２）。また、当り開始指定コマンド受信待ち時間として予め定められた一定時間を設定する（ステップＳ３４３）。そして、演出プロセスフラグの値を可変表示停止処理に対応した値である“３”に更新してから（ステップＳ３４４）、可変表示中演出処理を終了する。
【０１６４】
図１５は、図１４のステップＳ３３３にて実行されるボタン操作予告演出制御処理の一例を示すフローチャートである。図１５に示すボタン操作予告演出制御処理において、演出制御用ＣＰＵ１２０は、まず、ボタン操作の予告演出に対応する予告演出期間（ボタン操作予告演出期間）の開始時であるか否かを判定する（ステップＳ４０１）。このとき、予告演出期間の開始時である場合には（ステップＳ４０１；Ｙｅｓ）、変更制限フラグをオン状態にセットする（ステップＳ４０２）。変更制限フラグがオン状態となることにより、演出出力量の設定変更や演出カスタマイズの設定を有効とする変更が行われないように制限が設けられる。
【０１６５】
ステップＳ４０１にて予告演出期間の開始時ではないと判定された場合や（ステップＳ４０１；Ｎｏ）、ステップＳ４０２の処理を実行した後には、例えばＲＡＭ１２２の所定領域（演出制御フラグ設定部など）に設けられたボタン操作検出フラグがオンであるか否かを判定する（ステップＳ４０３）。ボタン操作検出フラグは、ボタン操作予告演出期間となった後にステップＳ４０５の処理でプッシュボタン３１Ｂに対する所定操作（押下操作など）の検出があったと判定されたときに、ステップＳ４０９の処理にてオン状態にセットされる。その後、ステップＳ４１１の処理でボタン操作検出後演出時間が経過したと判定されたときに、ステップＳ４１３の処理にてボタン操作検出フラグがクリアされてオフ状態となる。
【０１６６】
ステップＳ４０３にてボタン操作検出フラグがオフである場合には（ステップＳ４０３；Ｎｏ）、ボタン操作検出前演出を実行するための演出制御を行う（ステップＳ４０４）。続いて、ボタン操作の検出があったか否かを判定する（ステップＳ４０５）。例えばステップＳ４０５の処理では、プッシュセンサ３５Ｂからの検出信号に基づいて、プッシュボタン３１Ｂに対する所定操作（押下操作など）が検出されたときに、ボタン操作の検出があったと判定すればよい。ボタン操作の検出がない場合には（ステップＳ４０５；Ｎｏ）、ボタン操作の予告演出に対応して選択された演出制御パターンにおける設定などに基づいて、ボタン操作有効期間の終了タイミングであるか否かを判定する（ステップＳ４０６）。このとき、ボタン操作有効期間の終了タイミングでなければ（ステップＳ４０６；Ｎｏ）、ボタン操作予告演出制御処理を終了する。
【０１６７】
ステップＳ４０５にてボタン操作の検出があったと判定された場合には（ステップＳ４０５；Ｙｅｓ）、ボタン操作検出後演出を開始させるための制御を行う（ステップＳ４０７）。また、ボタン操作検出後演出時間となる所定時間を設定する（ステップＳ４０８）。そして、ボタン操作検出フラグをオン状態にセットしてから（ステップＳ４０９）、ボタン操作予告演出制御処理を終了する。
【０１６８】
ステップＳ４０３にてボタン操作検出フラグがオンである場合には（ステップＳ４０３；Ｙｅｓ）、ボタン操作検出後演出を実行するための演出制御を行った後（ステップＳ４１０）、ボタン操作検出後演出時間が経過したか否かを判定する（ステップＳ４１１）。このとき、ボタン操作検出後演出時間が経過していなければ（ステップＳ４１１；Ｎｏ）、ボタン操作予告演出制御処理を終了する。
【０１６９】
ステップＳ４１１にてボタン操作検出後演出時間が経過したと判定された場合には（ステップＳ４１１；Ｙｅｓ）、ボタン操作検出後演出を終了させるための制御を行う（ステップＳ４１２）。このときには、ボタン操作検出フラグをクリアしてオフ状態とする（ステップＳ４１３）。
【０１７０】
ステップＳ４０６にてボタン操作有効期間の終了タイミングであると判定された場合や（ステップＳ４０６；Ｙｅｓ）、ステップＳ４１３の処理を実行した後には、予告演出期間を終了させるための設定を行う（ステップＳ４１４）。また、演出後変更制限時間となる所定時間を設定してから（ステップＳ４１５）、ボタン操作予告演出制御処理を終了する。演出後変更制限時間は、ボタン操作の予告演出が実行された後、その予告演出が終了しても操作手段に対する所定操作による演出出力量の設定変更や演出カスタマイズの設定を有効とする変更が行われないように制限する時間として、予め定められた時間（例えば５秒間）であればよい。
【０１７１】
図１６は、図１４のステップＳ３３９にて実行されるリーチ演出制御処理の一例を示すフローチャートである。図１６に示すリーチ演出制御処理において、演出制御用ＣＰＵ１２０は、まず、リーチ演出の開始タイミングであるか否かを判定する（ステップＳ４２１）。このとき、リーチ演出の開始タイミングである場合には（ステップＳ４２１；Ｙｅｓ）、変更制限フラグをオン状態にセットする（ステップＳ４２２）。これにより、リーチ演出の実行が開始されるときには、演出出力量の設定変更や演出カスタマイズの設定を有効とする変更が行われないように制限が設けられる。
【０１７２】
ステップＳ４２１にてリーチ演出の開始タイミングではない場合や（ステップＳ４２１；Ｎｏ）、ステップＳ４２２の処理を実行した後には、リーチ演出の実行中における各種の操作検出があったか否かを判定する（ステップＳ４２３）。リーチ演出の実行中には、例えばプッシュボタン３１Ｂに対する所定操作（押下操作など）を促すボタン操作誘導演出が実行され、その操作が検出されたことに基づいて、所定の演出画像をカットイン表示するなどの操作検出時演出が実行されることがある。なお、演出制御パターンにおける設定などに基づいて、スティックコントローラ３０やプッシュボタン３１Ｂといった所定の操作手段に対する所定操作を有効に検出する操作有効期間となり、その操作有効期間において所定操作が検出されることにより、ステップＳ４２３の処理における各種の操作検出があったと判定すればよい。操作有効期間が開始されるより前や、所定時間が経過して操作有効期間が終了した後、あるいは操作有効期間にて所定操作が検出されたことに基づいて有効期間の終了条件が成立した後には、各種の操作検出が行われないように制御すればよい。ステップＳ４２３にて操作検出があったと判定された場合には（ステップＳ４２３；Ｙｅｓ）、各種の操作検出時演出を実行するための演出制御を行ってから（ステップＳ４２４）、リーチ演出制御処理を終了する。
【０１７３】
ステップＳ４２３にて操作検出がないと判定された場合には（ステップＳ４２３；Ｎｏ）、画像表示装置５の画面上に設けられた「中」の飾り図柄表示エリア５Ｃにおける飾り図柄（中図柄）を導出表示する中図柄導出タイミングとなったか否かを判定する（ステップＳ４２５）。このとき、中図柄導出タイミングではないと判定された場合には（ステップＳ４２５；Ｎｏ）、中図柄導出前演出を実行するための演出制御を行ってから（ステップＳ４２６）、リーチ演出制御処理を終了する。
【０１７４】
ステップＳ４２５にて中図柄導出タイミングであると判定された場合には（ステップＳ４２５；Ｙｅｓ）、中図柄導出時演出を実行するための演出制御を行う（ステップＳ４２７）。このときには、リーチ演出期間を終了させるための設定を行う（ステップＳ４２８）。また、演出後変更制限時間となる所定時間を設定してから（ステップＳ４２９）、リーチ演出制御処理を終了する。ステップＳ４２９にて設定される演出後変更制限時間は、図１５に示すステップＳ４１５の処理で設定される演出後変更制限時間と同一の時間であってもよいし、リーチ演出に対応して個別に定められた固有の時間であってもよい。
【０１７５】
図１７は、図９のステップＳ７８にて実行される演出出力設定処理の一例を示すフローチャートである。図１７に示す演出出力設定処理において、演出制御用ＣＰＵ１２０は、まず、設定切替スイッチ３００の変更があったか否かを判定する（ステップＳ２２１）。例えば演出制御用ＣＰＵ１２０は、ステップＳ２２１の処理を実行するごとに、設定切替スイッチ３００のスイッチ位置を読み取って、ＲＡＭ１２２の所定領域に格納する。このとき、例えば今回読み取ったスイッチ位置と前回読み取ったスイッチ位置とが異なる場合には、設定切替スイッチ３００の変更があったと判定すればよい。パチンコ遊技機１に対する電力供給が開始されたときには、前回読み取ったスイッチ位置の記録がないことから、必ず設定切替スイッチ３００の変更があったと判定してもよい。ステップＳ２２１にて設定切替スイッチ３００の変更があった場合には（ステップＳ２２１；Ｙｅｓ）、変更後の状態（スイッチ位置）に対応した設定を行う（ステップＳ２２２）。
【０１７６】
例えばＲＯＭ１２１の所定領域には、設定切替スイッチ３００のスイッチ位置に対応する設定内容を示す設定切替制御データが記憶されていればよい。設定切替スイッチ３００のスイッチ位置が「０」〜「Ｆ」のいずれであるかに応じて、演出出力量が６段階のいずれかに初期設定されるとともに、遊技者による設定変更操作を許容するか否かが切り替えられる。一例として、設定切替スイッチ３００のスイッチ位置が「５」である場合には、スピーカ８Ｌ、８Ｒから出力される音声の音量について、上限音量が「９７．０」に初期設定され、遊技者による音量設定（調整）が可能（許容）に設定される。なお、スピーカ８Ｌ、８Ｒから出力される音声の音量に限定されず、例えば遊技効果ランプ９や装飾用ＬＥＤの光量といった、任意の演出装置の出力量を設定切替スイッチ３００のスイッチ位置に応じて初期設定できればよい。図１７に示すステップＳ２２２の処理では、設定切替スイッチ３００のスイッチ位置に対応した演出出力量の設定情報（出力量設定情報）を、ＲＡＭ１２２の所定領域に格納することなどにより、演出出力量を複数段階（例えば６段階）のいずれかに初期設定できればよい。ここで、設定切替スイッチ３００のスイッチ位置が「６」〜「Ｂ」のいずれかであり、遊技者による設定変更（調整）が不可（禁止）となる場合には、ステップＳ２２２の処理にて初期設定された演出出力量で以降の演出などが実行される。一方、設定切替スイッチ３００のスイッチ位置が「０」〜「５」のいずれかであり、遊技者による設定変更（調整）が可能（許容）となっている場合には、ステップＳ２２２の処理にて演出出力量の初期設定が行われた後、遊技者による所定操作などに応じて演出出力量の設定変更を行うことができる。
【０１７７】
ステップＳ２２１にて設定切替スイッチ３００の変更がない場合や（ステップＳ２２１；Ｎｏ）、ステップＳ２２２の処理を実行した後には、変更制限フラグがオンであるか否かを判定する（ステップＳ２２３）。このとき、変更制限フラグがオフであれば（ステップＳ２２３；Ｎｏ）、設定切替スイッチ３００のスイッチ位置に応じて、遊技者による設定変更（調整）が可能（許容）であるか否かを判定する（ステップＳ２２４）。このとき、遊技者による設定変更（調整）が不可（禁止）である場合には（ステップＳ２２４；Ｎｏ）、演出出力設定処理を終了する。一方、遊技者による設定変更（調整）が可能（許容）である場合には（ステップＳ２２４；Ｙｅｓ）、出力変更の指示があったか否かを判定する（ステップＳ２２５）。演出制御用ＣＰＵ１２０は、ステップＳ２２３の処理により変更制限フラグがオフであると判定されたときに、スティックコントローラ３０の操作桿（レバー）に対する所定操作（傾倒操作など）が検出されたことなどに基づいて、出力変更の指示があったと判定すればよい。出力変更の指示がなければ（ステップＳ２２５；Ｎｏ）、演出出力設定処理を終了する。
【０１７８】
ステップＳ２２５にて出力変更の指示があった場合には（ステップＳ２２５；Ｙｅｓ）、指示に対応した表示と設定を行ってから（ステップＳ２２６）、演出出力設定処理を終了する。この実施の形態では、遊技者による設定変更（調整）が可能（許容）である場合に、遊技者がスティックコントローラ３０の操作桿（レバー）を操作することにより、設定切替スイッチ３００のスイッチ位置と同様に、演出出力量を６段階のいずれかに設定変更（調整）することができる。画像表示装置５の画面上には、例えばスピーカ８Ｌ、８Ｒにおける音量といった演出出力量を特定可能に示す出力量設定表示エリア５Ｊが設けられ、現在の演出出力量に応じた画像表示などが行われる。ステップＳ２２６の処理では、変更後の演出出力量を報知する確認動作が実行されてもよい。例えば演出制御用ＣＰＵ１２０は、音声制御基板１３に対する指令（効果音信号）の出力によりスピーカ８Ｌ、８Ｒから変更後の音量に対応する確認音を出力させる。また、演出制御用ＣＰＵ１２０は、ランプ制御基板１４に対する指令（電飾信号）の出力により遊技効果ランプ９や装飾用ＬＥＤを変更後の光量に対応して点灯させる。
【０１７９】
ステップＳ２２３にて変更制限フラグがオンである場合には、ステップＳ２２４〜Ｓ２２６の処理を実行せずに、演出後変更制限時間の設定があるか否かを判定する（ステップＳ２２７）。このように、変更制限フラグがオンであるときには、出力変更の指示が受け付けられないように制限を設け、演出出力設定の変更が行われないようにする。ステップＳ２２７にて演出後変更制限時間の設定がない場合には（ステップＳ２２７；Ｎｏ）、演出出力設定処理を終了する。演出後変更制限時間は、ボタン操作などの予告演出が実行された場合や、リーチ演出が実行された場合に、これらの演出が終了することなどに対応して設定される。したがって、ボタン操作などの予告演出やリーチ演出が実行中である期間では、変更制限フラグがオンである一方、演出後変更制限時間の設定が未だ行われていない状態になる。
【０１８０】
ステップＳ２２７にて演出後変更制限時間の設定があると判定された場合には（ステップＳ２２７；Ｙｅｓ）、その演出後変更制限時間が経過したか否かを判定する（ステップＳ２２８）。このとき、演出後変更制限時間が経過していなければ（ステップＳ２２８；Ｎｏ）、演出出力設定処理を終了する。一方、演出後変更制限時間が経過した場合には（ステップＳ２２８；Ｙｅｓ）、変更制限フラグをクリアしてオフ状態としてから（ステップＳ２２９）、演出出力設定処理を終了する。
【０１８１】
このように、変更制限フラグは、ボタン操作などの予告演出やリーチ演出の実行が終了することなどに対応して設定された演出後変更制限時間が経過したときに、クリアされてオフ状態となる。したがって、ボタン操作などの予告演出やリーチ演出の実行が終了しても、演出後変更制限時間となる所定時間が経過するまでは、演出出力量の設定変更や演出カスタマイズの設定を有効とする変更が行われないように制限が設けられる。
【０１８２】
図１８は、ボタン操作の予告演出が実行される場合における演出制御例を示すタイミングチャートである。図１８（Ａ）は、ボタン操作の予告演出に対応して遊技者によるプッシュボタン３１Ｂに対する所定操作（押下操作など）が検出されない操作検出なしの場合を示している。図１８（Ｂ）は、ボタン操作の予告演出に対応して遊技者によるプッシュボタン３１Ｂに対する所定操作（押下操作など）が検出された操作検出ありの場合を示している。ボタン操作の予告演出が実行される場合には、図１４に示すステップＳ３３２の処理にてボタン操作予告演出期間であると判定されたことに基づくステップＳ３３３の処理として、図１５に示すボタン操作予告演出制御処理が実行される。
【０１８３】
例えば図１８（Ａ）に示すタイミングＴ１０にてボタン操作予告演出期間が開始された場合には、図１５に示すステップＳ４０２の処理が実行されることで、変更制限フラグがオン状態にセットされる。そして、ステップＳ４０４の処理が実行されることで、ボタン操作検出前演出が実行される。その後、ステップＳ４０５の処理ではボタン操作の検出ありと判定されず、図１８（Ａ）に示すタイミングＴ１１となることで、ステップＳ４０６の処理によりボタン操作有効期間の終了タイミングであると判定される。このときには、ステップＳ４１５の処理が実行されることで、演出後変更制限時間が設定される。
【０１８４】
図１０に示す演出カスタマイズ処理では、ステップＳ２０４Ａの処理により変更制限フラグがオンであると判定されたときに、ステップＳ２０４Ｂの処理を実行せずに演出カスタマイズ処理を終了する。こうして、変更制限フラグがオンである期間では、遊技者の操作による簡単スタートの指示が受け付けられないように制限が設けられる。また、図１７に示す演出出力設定処理では、ステップＳ２２３の処理により変更制限フラグがオンであると判定されたときに、ステップＳ２２４〜Ｓ２２６の処理を実行せずにステップＳ２２７の処理に進む。これにより、変更制限フラグがオンである期間では、遊技者の操作による演出出力量の設定変更が受け付けられないように制限が設けられる。例えば図１８（Ａ）に示すタイミングＴ１２となったときに、図１７に示すステップＳ２２８の処理により演出後変更制限時間が経過したと判定され、ステップＳ２２９の処理により変更制限フラグがクリアされてオフ状態となる。
【０１８５】
また、例えば図１８（Ｂ）に示すタイミングＴ２０にてボタン操作予告演出期間が開始された場合にも、変更制限フラグがオン状態にセットされる。そして、ボタン操作検出前演出が実行される。その後、ボタン操作有効期間の終了タイミングとなるより前のタイミングＴ２１にて、プッシュボタン３１Ｂに対する所定操作（押下操作など）が検出されてボタン操作検出ありと判定された場合には、図１５に示すステップＳ４０７の処理によりボタン操作検出後演出が開始されるとともに、ステップＳ４０８の処理によりボタン操作検出後演出時間が設定される。続いて、ステップＳ４１１にてボタン操作検出後演出時間が経過したと判定されるまで、ステップＳ４１０の処理によりボタン操作検出後演出が実行される。図１８（Ｂ）に示すタイミングＴ２２となることで、ボタン操作検出後演出時間が経過したときには、ステップＳ４１５の処理が実行されることで、演出後変更制限時間が設定される。これにより、図１８（Ｂ）に示すタイミングＴ２３となるまで、遊技者の操作による簡単スタートの指示が受け付けられないように制限が設けられるとともに、遊技者の操作による演出出力量の設定変更が受け付けられないように制限が設けられる。タイミングＴ２３となったときには、図１７に示すステップＳ２２８の処理により演出後変更制限時間が経過したと判定され、ステップＳ２２９の処理により変更制限フラグがクリアされてオフ状態となる。
【０１８６】
こうして、ボタン操作の予告演出といった、プッシュボタン３１Ｂのような操作手段に対する操作に応じた操作演出が実行される場合には、遊技者の操作による簡単スタートの指示が受け付けられないように制限が設けられ、また、遊技者の操作による演出出力量の設定変更が受け付けられないように制限が設けられる。ただし、飾り図柄の可変表示が開始された後でも、例えば図１４に示すステップ３３２にてボタン操作予告演出期間であると判定されるまでは、変更制限フラグがオフであることから、簡単スタートの指示や演出出力量の設定変更を受け付けることができる。
【０１８７】
なお、レバー操作の予告演出種別に分類された予告演出パターンによるレバー操作の予告演出が実行される場合にも、ボタン操作の予告演出が実行される場合と同様に、変更制限フラグをオン状態にセットすればよい。例えば図１４に示すステップＳ３３６にてレバー操作予告演出期間であると最初に判定されたときに、変更制限フラグをオン状態にセットする。その後、レバー操作の予告演出が終了することなどに対応して、演出後変更制限時間の設定を行い、この演出後変更制限時間が経過するまでは、変更制限フラグをオン状態に維持する。これにより、レバー操作の予告演出といった、スティックコントローラ３０のような操作手段に対する操作に応じた操作演出がされる場合にも、遊技者の操作による簡単スタートの指示が受け付けられないように制限が設けられ、また、遊技者の操作による演出出力量の設定変更が受け付けられないように制限が設けられる。ただし、飾り図柄の可変表示が開始された後でも、例えば図１４に示すステップ３３６にてレバー操作予告演出期間であると判定されるまでは、変更制限フラグがオフであることから、簡単スタートの指示や演出出力量の設定変更を受け付けることができる。
【０１８８】
スティックコントローラ３０を用いた操作に応じた演出が実行されるレバー操作の予告演出であるか、プッシュボタン３１Ｂを用いた操作に応じた演出が実行されるボタン操作の予告演出であるかにかかわらず、共通の変更制限フラグをオン状態にセットすることで、遊技者の操作による簡単スタートの指示が受け付けられないように制限が設けられ、また、遊技者の操作による演出出力量の設定変更が受け付けられないように制限が設けられるようにすればよい。例えば簡単スタートの指示はプッシュボタン３１Ｂに対する押下操作により行われる一方、演出出力量の設定変更はスティックコントローラ３０の操作桿（レバー）に対する傾倒操作により行われる。このように、複数の操作手段が別個に設けられ、それぞれの操作手段に対する操作に応じた設定変更操作を受け付ける場合に、変更制限フラグがオンである期間では、いずれの操作手段に対する操作であるかにかかわらず、設定変更操作が受け付けられないように制限が設けられる。これにより、操作手段に対する操作に応じた操作演出が実行されるときに、設定変更操作が誤って受け付けられてしまうことを確実に防止できる。
【０１８９】
図１９は、リーチ演出が実行される場合における演出制御例を示すタイミングチャートである。リーチ演出が実行される場合には、図１４に示すステップＳ３３８の処理にてリーチ演出期間であると判定されたことに基づくステップＳ３３９の処理として、図１６に示すリーチ演出制御処理が実行される。
【０１９０】
例えば図１９に示すタイミングＴ３０にてリーチ演出期間が開始された場合には、図１６に示すステップＳ４２２の処理が実行されることで、変更制限フラグがオン状態にセットされる。そして、ステップＳ４２６の処理が実行されることで、中図柄導出前演出が実行される。この中図柄導出前演出の実行中に、ステップＳ４２３にて各種の操作検出ありと判定された場合には、ステップＳ４２４の処理が実行されることで、各種操作検出時演出を実行することができる。その後、図１９に示すタイミングＴ３１となることで、ステップＳ４２５の処理により中図柄導出タイミングであると判定される。このときには、ステップＳ４２９の処理が実行されることで、演出後変更制限時間が設定される。これにより、図１９に示すタイミングＴ３２となるまで、遊技者の操作による簡単スタートの指示が受け付けられないように制限が設けられるとともに、遊技者の操作による演出出力量の設定変更が受け付けられないように制限が設けられる。タイミングＴ３２となったときには、図１７に示すステップＳ２２８の処理により演出後変更制限時間が経過したと判定され、ステップＳ２２９の処理により変更制限フラグがクリアされてオフ状態となる。
【０１９１】
こうして、リーチ演出といった、スティックコントローラ３０やプッシュボタン３１Ｂのような操作手段に対する操作に応じた操作演出を含む演出が実行される場合には、遊技者の操作による簡単スタートの指示が受け付けられないように制限が設けられ、また、遊技者の操作による演出出力量の設定変更が受け付けられないように制限が設けられる。ただし、飾り図柄の可変表示が開始された後でも、例えば図１４に示すステップ３３８にてリーチ演出期間であると判定されるまでは、変更制限フラグがオフであることから、簡単スタートの指示や演出出力量の設定変更を受け付けることができる。
【０１９２】
図２０は、変更制限フラグがオフであるときの表示例を示している。図２０（Ａ）に示すように、画像表示装置５の画面上には、出力量設定表示エリア５Ｊやモード設定表示エリア５Ｋが設けられ、演出出力量や演出カスタマイズの設定状態を特定可能にする画像表示などが行われる。図２０（Ａ）に示す表示例では、演出出力量が６段階のうちの「２」（第２段階）であることに対応して、出力量設定表示エリア５Ｊにて２つのメモリを第１表示色（例えば赤色）で表示する一方、残りの４つを第１表示色とは異なる第２表示色（例えば白色）で表示する。このとき、例えばスティックコントローラ３０の操作桿（レバー）が右に傾倒操作されたことに対応して、演出出力量を「３」に変更するとともに、図２０（Ｂ）に示すような出力量設定表示エリア５Ｊにおいて第１表示色のメモリを１つ増加させる。このように、例えばスティックコントローラ３０の操作桿（レバー）が第１方向（右方向など）に傾倒操作されるごとに、演出出力量の設定が最大に達するまで、複数段階の演出出力量を１段階ずつ増加させるように変更すればよい。一方、例えばスティックコントローラ３０の操作桿（レバー）が第１方向とは異なる第２方向（左方向）に傾倒操作されるごとに、演出出力量の設定が最小に達するまで、複数段階の演出出力量を１段階ずつ減少させるように変更すればよい。出力量設定表示エリア５Ｊでは、演出出力量の変更に応じて第１表示色で表示するメモリの個数を増加または減少させることで、設定変更の操作を受け付けた旨を遊技者が認識可能に表示できる。
【０１９３】
また、図２０（Ａ）に示す表示が行われているときに、例えばプッシュボタン３１Ｂが押下操作されたことに対応して、簡単スタート用の演出設定を行うとともに、図２０（Ｃ）に示すようなモード設定表示エリア５Ｋにおいて演出カスタマイズが開始されたことを示す画像表示を行う。このように、例えばプッシュボタン３１Ｂが押下操作されることで、簡単スタートによる演出カスタマイズの設定を有効とすればよい。モード設定表示エリア５Ｋでは、演出カスタマイズが開始されたか否かに応じて異なる画像表示を行うことで、設定変更の操作を受け付けた旨を遊技者が認識可能に表示できる。
【０１９４】
図２１は、ボタン操作の予告演出を実行するときの表示例を示している。例えば図１４に示すステップＳ３３２にてボタン操作予告演出期間であると判定された後、図１５に示すステップＳ４０３にてボタン操作検出フラグがオフであると判定された場合には、ステップＳ４０４の処理によりボタン操作検出前演出が実行される。これにより、例えば図２１（Ａ）に示すように、プッシュボタン３１Ｂを示す演出画像（ボタン画像）を画像表示装置５の画面上に表示させて、プッシュボタン３１Ｂに対する押下操作を遊技者に促すことができる。このとき、ボタン画像は、出力量設定表示エリア５Ｊやモード設定表示エリア５Ｋとは異なる表示領域（重複しない領域）に表示される。なお、ボタン操作の予告演出が実行されるときには、変更制限フラグがオンとなることに対応して、出力量設定表示エリア５Ｊやモード設定表示エリア５Ｋを縮小または消去してもよい。これにより、ボタン操作の予告演出が実行される場合に、予告演出の演出画像表示と演出出力設定などを示す画像表示とが重複する可能性を低減し、遊技者に煩雑な印象を与えないようにすることができる。
【０１９５】
例えば図１４に示すステップＳ４０５にてボタン操作検出ありと判定された場合には、ステップＳ４０７の処理などによりボタン操作検出後演出が実行される。これにより、例えば図２１（Ｂ）に示すように、キャラクタやセリフとなるメッセージを示す演出画像を画像表示装置５の画面上に表示させて、可変表示結果が「大当り」となる可能性などを予告することができる。このときにも、予告演出の演出画像は、出力量設定表示エリア５Ｊやモード設定表示エリア５Ｋとは異なる表示領域（重複しない領域）に表示される。これにより、遊技者に煩雑な印象を与えないようにすることができる。
【０１９６】
パチンコ遊技機１では、例えば特別図柄や飾り図柄の可変表示といった、所定の遊技が実行されているときでも、スティックコントローラ３０の操作桿（レバー）に対する所定操作（傾倒操作など）やプッシュボタン３１Ｂに対する所定操作（押下操作など）に応じて、演出出力量の設定変更や演出カスタマイズの設定を有効とする変更を受け付けることができる。しかしながら、ボタン操作の予告演出やレバー操作の予告演出、あるいはリーチ演出中における各種操作検出検出時演出のように、各種の操作手段に対する操作に応じた操作演出が実行される場合に、設定変更のための操作を受け付けてしまうと、遊技者が意図しない設定変更が行われてしまい、遊技者に不信感を与えて遊技興趣を減退させるおそれがある。そこで、操作演出が実行される場合には、所定期間にて設定変更の操作を受け付けないように制限を設けることで、意図しない設定変更の発生を防止できる。
【０１９７】
この発明は、上記実施の形態に限定されず、様々な変更および応用が可能である。例えばパチンコ遊技機１は、上記実施の形態で示した全ての技術的特徴を備えるものでなくてもよく、従来技術における少なくとも１つの課題を解決できるように、上記実施の形態で説明した一部の構成を備えたものであってもよい。
【０１９８】
具体的な一例として、上記実施の形態では、ボタン操作の予告演出やレバー操作の予告演出、さらにはリーチ演出といった、各種の操作手段に対する操作に応じた演出が実行される可能性がある全ての演出に対応して、演出出力量の設定変更や演出カスタマイズの設定を有効とする変更といった、全ての設定変更を行うための操作手段に対する操作を受け付けないように制限を設けるものとして説明した。しかしながら、この発明はこれに限定されず、例えば各種の操作手段に対する操作に応じた演出の一部に対応して、一部の設定変更を行うための操作手段に対する操作を受け付けないように制限を設けるものであってもよい。より具体的に、ボタン操作の予告演出に対応して、演出カスタマイズの設定を有効とする変更を行うためのプッシュボタン３１Ｂに対する押下操作を受け付けないように制限を設ける一方、演出出力量の設定変更を行うためのスティックコントローラ３０に対する傾倒操作は受け付けるようにしてもよい。
【０１９９】
上記実施の形態では、操作手段に対する操作に応じた操作演出が実行される場合に、設定変更の操作を受け付けないように制限を設けるものとして説明した。しかしながら、この発明はこれに限定されず、操作手段に対する操作に応じた操作演出が実行される場合には、設定変更の操作を受け付けにくいように制限を設けてもよい。例えば通常時とは異なる特殊な操作パターンに合致する操作が行われた場合にのみ、設定変更の操作が受け付けられるように制限を設けてもよい。こうした特殊な操作パターンは、例えば操作演出を実行するための操作手段に対する操作内容とは大きく異なる操作手順（例えばスティックコントローラ３０を所定方向に傾倒するレバー操作とプッシュボタン３１Ｂの押下操作とを同時に複数回組み合わせて行うことなど）を含み、操作演出を実行するために操作する限りでは、この操作パターンに合致する可能性が極めて低いものであればよい。また、特殊な操作パターンは、隠しコマンドとして予め用意され、その操作手順は明確に報知されることがないものであってもよい。
【０２００】
上記実施の形態では、例えば飾り図柄の可変表示が開始されても、図１５に示すステップＳ４０２や図１６に示すステップＳ４２２にて変更制限フラグがオン状態にセットされるまでの期間において、設定変更を行うための操作が受け付けられるものとして説明した。しかしながら、この発明はこれに限定されず、例えば飾り図柄の可変表示が開始されるときに、ボタン操作の予告演出やリーチ演出を実行すると決定されたことに対応して変更制限フラグをオン状態にセットすることなどにより、遊技における演出が所定態様となるより前に、設定変更を行うための操作を受け付けないように制限を設けてもよい。これにより、設定変更を行うための操作により遊技における演出が妨げられることや、操作演出の実行に伴い設定変更操作が誤って受け付けられることを、確実に防止できる。
【０２０１】
上記実施の形態では、ボタン操作の予告演出やリーチ演出の実行が終了した後でも、演出後変更制限時間が経過するまでは変更制限フラグをオンのまま維持して、設定変更を行うための操作が受け付けられないように制限を設けるものとして説明した。しかしながら、この発明はこれに限定されず、操作手段に対する操作に応じた演出の実行が終了したときに、所定時間が経過しなくても設定変更を行うための操作が受け付けられるようにしてもよい。これにより、設定変更を求める遊技者の意思を迅速に反映させて、遊技興趣を向上させることができる。
【０２０２】
上記実施の形態では、出力量設定表示エリア５Ｊやモード設定表示エリア５Ｋが画像表示装置５の画面上に設けられ、例えばボタン操作の予告演出といった、遊技における演出をこれらの表示エリア以外の領域にて実行するものとして説明した。しかしながら、この発明はこれに限定されず、例えば共通する表示エリアにて演出出力量の設定表示と遊技における演出とが実行される場合でも、互いに異なるレイヤーに重畳表示させる異などにより、遊技における演出の裏では演出出力量の設定表示が継続されるようにしてもよい。
【０２０３】
上記実施の形態では、図１７に示すような演出出力設定処理を実行することにより、例えばスピーカ８Ｌ、８Ｒから出力される音声の音量や、遊技効果ランプ９および装飾用ＬＥＤの光量といった、演出装置の出力量を変更可能にするものとして説明した。また、上記実施の形態では、図１０に示すような演出カスタマイズ処理を実行することで、簡単スタートによる演出カスタマイズを有効とする変更が可能なものとして説明した。しかしながら、この発明はこれに限定されず、例えば演出出力量の設定変更と演出カスタマイズを有効とする変更とのうち、いずれか一方のみを行うものであってもよい。また、パチンコ遊技機１などの遊技機における遊技履歴にかかわらず変更可能な任意の演出設定を変更可能なものであってもよい。例えば、遊技者によるスティックコントローラ３０の操作桿（レバー）に対する所定操作（傾倒操作など）といった操作手段に対する所定操作が検出されたことに応じて、複数種類のキャラクタからいずれかを選択し、選択されたキャラクタに応じた演出が複数回の可変表示にわたり実行可能となるものであってもよい。
【０２０４】
上記実施の形態では、設定切替スイッチ３００のスイッチ位置により、遊技者による設定変更（調整）が不可（禁止）である場合を設けるものとして説明した。しかしながら、この発明はこれに限定されず、設定切替スイッチ３００のスイッチ位置にかかわらず、遊技者による設定変更（調整）が常に可能（許容）であるものであってもよい。また、上記実施の形態では、スティックコントローラ３０の操作桿（レバー）といった所定の操作手段に対する所定操作により、設定切替スイッチ３００のスイッチ位置による設定と同様の複数段階（６段階など）のいずれかに演出出力量を変更できるものとして説明した。しかしながら、この発明はこれに限定されず、遊技者による操作に応じて変更可能な演出出力量の範囲と、設定切替スイッチ３００のスイッチ位置に応じて変更可能な演出出力量の範囲とが、所定の対応関係にあってもよいし、一方の範囲が他方の範囲より広い範囲または狭い範囲となるものであってもよい。例えば設定切替スイッチ３００のスイッチ位置に応じた複数段階ごとに、遊技者による操作に応じて変更可能な演出出力量の範囲として、互いに異なる可変設定範囲が予め定められていてもよい。より具体的な一例として、設定切替スイッチ３００のスイッチ位置が「０」〜「２」のいずれかであるときには、遊技効果ランプ９や装飾用ＬＥＤの光量が「３０％」〜「７０％」の範囲で変更可能となり、スイッチ位置が「３」〜「５」のいずれかであるときには、光量が「６０％」〜「１００％」の範囲で変更可能となるようにしてもよい。このように、設定切替スイッチ３００のスイッチ位置に応じて変更可能な演出出力量の範囲は、複数段階のスイッチ位置に共通する範囲（重複範囲）を含んでいてもよい。あるいは、設定切替スイッチ３００のスイッチ位置ごとに、重複範囲を含まない演出出力量の変更可能範囲が定められていてもよい。
【０２０５】
上記実施の形態では、パチンコ遊技機１におけるスティックコントローラ３０とプッシュボタン３１Ｂとが互いに別個の操作手段として設けられ、それぞれの操作手段に対する所定操作による指示操作が検出された結果に応じて、演出カスタマイズの設定や演出出力量の変更が行われたり、所定の予告演出における演出態様を変化させたりするものとして説明した。しかしながら、この発明はこれに限定されず、例えばプッシュボタン３１Ｂのみといった、単一の操作手段を備えるものにおいて、その操作手段に対する所定操作による指示入力の検出結果に応じて、各種の設定や変更ができるようにしてもよい。
【０２０６】
遊技者による指示入力を検出するための構成は、スティックコントローラ３０やプッシュボタン３１Ｂに限定されず、例えば回動操作が可能なジョグダイアルであってもよいし、タッチパネルのように接触操作や押圧操作が可能なものであってもよい。また、例えば赤外線センサや超音波センサ、ＣＣＤセンサ、ＣＭＯＳセンサのように、遊技者による指示入力行為に限定されない任意の動作を検出できるセンサを用いてもよい。所定のカメラを用いて遊技者の手といった被写体を撮影した結果を解析（ビデオ式モーションキャプチャ）して、任意の入力動作を所定操作として検出できるようにしてもよい。すなわち、所定操作を検出するための構成は、任意対象物の動作を、機械的、電気的、あるいは、電磁的に、検出できる任意の構成であればよい。
【０２０７】
演出出力量の設定変更や演出カスタマイズを有効とする変更が可能な場合に、以下のような変形がなされてもよい。例えばＲＡＭ１２２の所定領域に格納（保持）されたカスタマイズ設定情報や出力量設定情報などの設定情報に応じた制御を行って演出を実行する。そして、例えば演出カスタマイズの設定が無効である場合や演出出力設定が最小出力量である場合のように、特定の設定情報が格納（保持）されているときに、その特定の設定情報が格納（保持）されている旨の示唆を行うようにしてもよい。これにより、演出に関する制御の設定変更が可能であることを遊技者が認識しやすくなり、遊技者の好みに応じた出力設定の変更を促進して、遊技興趣を向上させることができる。
【０２０８】
遊技機への電力供給が開始されたときや、遊技者が遊技機における遊技を開始したと判定されたとき、遊技者が遊技機における遊技を行っていないと判定されたときに、特定設定状態であることの示唆を行うようにしてもよい。電力供給が開始されたときの示唆により、特定設定状態であることを遊技店側で容易に認識することができ、遊技店側に好適な出力設定の変更が可能になる。遊技を開始したと判定されたときの示唆により、遊技の開始時に出力設定の変更が可能であることを遊技者が認識しやすくなり、遊技者の好みに応じた出力設定の変更を促進して、遊技興趣を向上させることができる。遊技を行っていないと判定されたときの示唆により、遊技を開始する前に出力設定が変更可能であることを遊技者が認識しやすくなり、遊技者の好みに応じた出力設定の変更を促進して、遊技興趣を向上させることができる。
【０２０９】
あるいは、パチンコ遊技機１などの遊技機における遊技の実行中には、例えば画像表示装置５の画面上に表示したキャラクタのセリフとして、所定のメッセージを報知する変動中メッセージの報知演出が実行されてもよい。こうした変動中メッセージを複数種類のいずれかに決定することで、遊技機による遊技の進行に応じた演出のうちの所定演出の演出態様を複数態様のうちから選択する。そして、演出カスタマイズの設定が無効である場合や演出出力設定が最小出力量である場合のように、特定の設定情報が格納（保持）されているときに、その特定の設定情報が格納（保持）されている旨を示唆する変動中メッセージといった特定の演出態様を選択可能に設定してもよい。これにより、演出に関する制御の設定変更が可能であることを遊技者が認識しやすくなり、遊技者の好みに応じた出力設定の変更を促進して、遊技興趣を向上させることができる。
【０２１０】
特定の設定情報が格納（保持）されている旨を示唆する変動中メッセージのような特定の演出態様を選択した後には、例えば所定時間が経過するまで特定の演出態様が選択されないように制限を設けるといった、特定の演出態様を選択した履歴に応じて、特定の演出態様が選択されてもよい。これにより、設定変更が可能であることを示唆する報知が頻繁に実行されないようにして報知の煩わしさを抑制し、好適に設定変更を可能として、遊技興趣を向上させることができる。
【０２１１】
例えば飾り図柄の可変表示状態がリーチ状態になるといった、遊技機による遊技の結果が特定結果となる場合に、こうした特定結果とならない場合とは異なる割合で特定の演出態様を選択してもよい。これにより、特定結果となるか否かに応じて設定変更が可能であることを好適に示唆して、遊技者の好みに応じた出力設定の変更を促進し、遊技興趣を向上させることができる。
【０２１２】
例えば飾り図柄の可変表示といった遊技機における所定の遊技（１回の遊技でも複数回の遊技でもよい）ごとに実行される演出の演出態様を、所定割合で特定の演出態様を含む複数態様のうちから選択してもよい。これにより、所定の遊技ごとに実行される演出の演出態様を好適に選択して、遊技者の好みに応じた出力設定の変更を促進し、遊技興趣を向上させることができる。
【０２１３】
あるいは、図１２に示すステップＳ３１５にてボタン操作の予告演出種別に決定された後、ステップＳ３１７にて予告演出パターンを決定することで、遊技者によるプッシュボタン３１Ｂに対する所定操作（押下操作など）に応じた操作演出の演出態様を複数種類の演出態様のうちから選択する。ここで、可変表示内容が「非リーチ（ハズレ）」となる非リーチ時には、演出カスタマイズの設定が無効である場合や演出出力設定が最小出力量である場合のように、特定の設定情報が格納（保持）されているときに、その特定の設定情報が格納（保持）されている旨を示唆する予告演出パターンといった特定の演出態様を選択可能に設定してもよい。その後、所定の予告演出制御が行われることで、プッシュボタン３１Ｂに対する操作に応じた操作演出が実行されてもよい。これにより、演出に関する制御の設定変更が可能であることを遊技者が認識しやすくなり、遊技者の好みに応じた出力設定の変更を促進して、遊技興趣を向上させることができる。
【０２１４】
図１２に示すステップＳ３１５にてボタン操作の予告演出種別に決定された後、ステップＳ３１７にて特定設定状態であることを示唆する予告演出パターンのような特定の演出態様を選択した後には、例えば所定時間が経過するまで特定演出態様が選択されないように制限を設けるといった、特定の演出態様を選択した履歴に応じて、特定の演出態様が選択されてもよい。これにより、設定変更が可能であることを示唆する報知が頻繁に実行されないようにして報知の煩わしさを抑制し、好適に設定変更を可能として、遊技興趣を向上させることができる。
【０２１５】
例えば図１７に示すステップＳ２２２にて設定切替スイッチ３００のスイッチ位置に応じて音量設定などの演出出力設定を行った後、ステップＳ２２４にてスティックコントローラ３０の操作桿（レバー）に対する所定操作（傾倒操作など）に応じた演出出力量の設定変更を行う。そして、演出出力設定が最小出力量であると判定されたことなどに対応して、演出装置の出力量が所定量未満であるときには示唆を行うようにしてもよい。あるいは、演出出力設定が最小出力量であることを示す変動中メッセージの報知演出が実行されてもよい。あるいは、図１２に示すステップＳ３１７の処理では、演出出力設定が最小出力量である場合に対応して、特定演出態様となる予告演出パターンを所定割合で選択可能に設定してもよい。これにより、演出装置の出力量が変更可能であることを遊技者が認識しやすくなり、遊技者の好みに応じた出力設定の変更を促進して、遊技興趣を向上させることができる。
【０２１６】
例えば図１０に示すステップＳ２０４Ｂにて簡単スタートの指示ありと判定されたことに対応して、ステップＳ２０５の処理を実行することで簡単スタートによる演出カスタマイズの設定が行われる。また、ステップＳ２１０にて演出カスタマイズを開始するために取得したカスタマイズ情報が有効であると判定されたことに対応して、ステップＳ２１１の処理を実行することでパスワードなどを用いた演出カスタマイズを開始する設定が行われる。一方、こうした演出カスタマイズの設定が無効であると判定されたことなどに対応して、演出カスタマイズによる通常時とは異なる特典演出の実行制御が無効化されているときに示唆を行うようにしてもよい。あるいは、演出カスタマイズの設定が無効であることを示す変動中メッセージの報知演出が実行されてもよい。あるいは、図１２に示すステップＳ３１７の処理では、演出カスタマイズの設定が無効である場合に対応して、特定演出態様となる予告演出パターンを所定割合で選択可能に設定してもよい。これにより、特典演出の実行制御を有効化できることを遊技者が認識しやすくなり、遊技者の好みに応じた出力設定の変更を促進して、遊技興趣を向上させることができる。
【０２１７】
例えば設定切替スイッチ３００のスイッチ位置に応じて遊技者による設定変更（調整）が不可（禁止）であると判定されたときには、特定設定状態の示唆に制限を設けるようにしてもよい。あるいは、遊技者による演出出力の設定変更（調整）が不可（禁止）であることに対応して、演出出力設定が最小出力量であることを示す変動中メッセージが決定可能な変動中メッセージに含まれないように設定されてもよい。あるいは、図１２に示すステップＳ３１７の処理では、遊技者による演出出力の設定変更（調整）が不可（禁止）であることに対応して、特定演出態様となる予告演出パターンには決定できないように設定されてもよい。これにより、不要な示唆の実行を防止して、遊技者に混乱を与えないようにすることができる。
【０２１８】
その他、設定切替スイッチ３００を用いた演出出力量の設定と、スティックコントローラ３０の操作桿（レバー）といった所定の操作手段に対する所定操作に応じた演出出力量の設定に関して、以下のような変形が可能である。
【０２１９】
例えば設定切替スイッチ３００を操作可能な状態（前面扉を開放した状態）にしたときに、設定切替スイッチ３００のスイッチ位置を切替操作を行うと、演出制御用ＣＰＵ１２０は、図１７に示すステップＳ２２２の処理にて、複数段階のいずれかの段階を第１音量段階または第１光量段階などの第１出力量段階として設定する。例えば図２０（Ａ）に示すような出力量設定表示エリア５Ｊが設けられているときに、スティックコントローラ３０の操作桿（レバー）に対して所定操作（傾倒操作など）を行うと、演出制御用ＣＰＵ１２０は、図１７に示すステップＳ２２４の処理にて、複数段階のいずれかの段階を第２音量段階または第２光量段階などの第２出力量段階として設定する。ステップＳ２２４の処理において第１出力量段階（第１音量段階または第１光量段階など）と第２出力量段階（第２音量段階または第２光量段階など）とに基づいて音量を設定すると、その設定した音量で以降の演出などを実行する。
【０２２０】
そして、例えば図１７に示すステップＳ２２４の処理では、図２０（Ａ）に示すような出力量設定表示エリア５Ｊにおいて設定切替スイッチ３００のスイッチ位置に応じた初期表示を行うことなどにより、第１出力量段階（第１音量段階または第１光量段階など）に応じて異なる第２出力量段階（第２音量段階または第２光量段階など）を示す段階表示が行われてもよい。このように、遊技店用の第１許可条件が成立しているときに行われる第１操作に基づいて、複数段階のいずれかの段階を第１出力量段階（第１音量段階または第１光量段階など）として設定する一方、遊技者用の第２許可条件が成立しているときに行われる第２操作に基づいて、複数段階のいずれかの段階を第２出力量段階（第２音量段階または第２光量段階など）として設定する。こうして設定された第１出力量段階と第２出力量段階とに応じた出力量の演出を所定の演出装置（例えばスピーカ８Ｌ、８Ｒなど）により実行させる一方、遊技者が視認可能な表示領域に表示される表示内容として、第２操作が行われるときに第２出力量段階を示す段階表示を行い、その段階表示における初期表示を、第１出力量段階に応じて異ならせてもよい。これにより、好適に演出装置の出力量を調整できる。
【０２２１】
また、例えば図１７に示すステップＳ２２４の処理では、図２０（Ａ）に示すような出力量設定表示エリア５Ｊにおいて、設定切替スイッチ３００のスイッチ位置が「５」に対応して音量設定が「音量６（最大）」であるときとスイッチ位置が「０」に対応して音量設定が「音量１（最小）」であるときとで異なる初期表示を行うことなどにより、第１出力量段階（第１音量段階または第１光量段階など）が最高段階であるときと最低段階であるときとで異なる初期表示となる段階表示が行われてもよい。このように、第２操作が行われるときに第２出力量段階を示す段階表示を行い、その段階表示における初期表示を、第１出力量段階が最高段階であるときと最低段階であるときとで異ならせてもよい。これにより、好適に演出装置の出力量を調整できる。
【０２２２】
あるいは、例えば図１７に示すステップＳ２２４の処理では、図２０（Ａ）に示すような出力量設定表示エリア５Ｊにおいて、設定切替スイッチ３００のスイッチ位置が「０」〜「４」のいずれかに対応して音量設定が「音量１（最小）」から「音量５」のいずれかであるときには音量設定が「音量６（最大）」以外の第２音量段階を示すように初期表示を行い、かつ、スイッチ位置が「５」に対応して音量設定が「音量６（最大）」であるときには音量設定が「音量６（最大）」である第２音量段階を示すように初期表示を行うことなどにより、第１出力量段階（第１音量段階または第１光量段階など）が最高段階以外であるときには最高段階以外の第２出力量段階（第２音量段階または第２光量段階など）を示すように、かつ、第１出力量段階が最高段階であるときには最高段階の第２出力量段階を示すように、初期表示となる段階表示が行われてもよい。このように、第２操作が行われるときに第２出力量段階を示す段階表示を行い、その段階表示における初期表示を、第１出力量段階が最高段階以外であるときには最高段階以外の第２出力量段階を示すように、かつ、第１出力量段階が最高段階であるときには最高段階の第２出力量段階を示すようにしてもよい。これにより、好適に演出装置の出力量を調整できる。
【０２２３】
例えば図４や図５に示す設定切替スイッチ３００は、遊技店の係員による操作対象として、演出出力量が取り得る複数段階に対応した複数のスイッチ位置のいずれかに物理的に変位する変位部を備える操作装置となる。図１７に示すステップＳ２２２の処理では、設定切替スイッチ３００のスイッチ位置が物理的に変更された後において、図２０（Ａ）に示すような出力量設定表示エリア５Ｊが配置されるときに、設定切替スイッチ３００によって新たに設定された演出出力量に応じた演出を所定の演出装置（スピーカ８Ｌ、８Ｒなど）により実行させることを開始してもよい。このように、第１操作の操作対象として、第１出力量段階が取り得る複数段階に対応した複数位置のいずれかに第１操作によって物理的に変位する変位部を備える操作装置を設け、第１操作によって変位した変位部の位置に応じた第１出力量段階を第１操作に基づく第１出力量段階として設定し、変位部の位置が変更された後において、第２操作が行われるときに第２出力量段階を示す段階表示に対応して、新たに設定された第１出力量段階に応じた演出出力量の演出を所定の演出装置により実行させることを開始してもよい。これにより、好適に演出装置の出力量を調整できる。
【０２２４】
あるいは、設定切替スイッチ３００のスイッチ位置が物理的に変更された後において、図１７に示すステップＳ２２４の処理により遊技者の所定操作（例えばスティックコントローラ３０の操作桿に対する傾倒操作など）に応じて演出出力量の設定変更が行われるときに、設定切替スイッチ３００によって新たに設定された演出出力量に応じた演出を所定の演出装置（スピーカ８Ｌ、８Ｒなど）により実行させることを開始してもよい。このように、第１操作の操作対象として、第１出力量段階が取り得る複数段階に対応した複数位置のいずれかに第１操作によって物理的に変位する変位部を備える操作装置を設け、第１操作によって変位した変位部の位置に応じた第１出力量段階を第１操作に基づく第１出力量段階として設定し、変位部の位置が変更された後において、第２操作によって設定される第２出力量段階が変更されるときに、第１操作によって新たに設定された第１出力量段階に応じた演出出力量の演出を所定の演出装置により実行させることを開始してもよい。これにより、好適に演出装置の出力量を調整できる。
【０２２５】
例えば図２０（Ａ）に示すような出力量設定表示エリア５Ｊでは、設定切替スイッチ３００のスイッチ位置に応じて第１表示色で表示するメモリの初期表示量を異ならせてもよい。このように、第１出力量段階が高い段階であるほど、段階表示における初期表示が示す第２出力量段階を高くしてもよい。これにより、第１出力量段階と第２出力量段階との関係が把握しやすくなり、好適に出力量を調整できる。
【０２２６】
例えば図１７に示すステップＳ２２４の処理では、スティックコントローラ３０の操作桿（レバー）に対する所定操作（傾倒操作など）に応じて演出出力設定が変更されたときには、変更後の演出出力量を示す確認演出動作を実行する。一方、例えば図１７に示すステップＳ２２２の処理では、設定切替スイッチ３００のスイッチ位置に応じて演出出力設定が変更されたときでも、変更後の演出出力量を示す確認演出動作を実行しないようにしてもよい。このように、第２操作により第２出力量段階が新たに設定されたときに、その新たに設定された第２出力量段階を示す確認演出動作（例えば確認音の出力など）を所定の演出装置により実行し、第１操作により第１出力量段階が新たに設定されたときに、その新たに設定された第１出力量段階を示す確認演出動作を実行しないようにしてもよい。これにより、第２出力量段階を演出動作により確認できるので、好適に出力量を調整できる。
【０２２７】
例えば設定切替スイッチ３００のスイッチ位置が「６」〜「Ｂ」のいずれかに設定されて、遊技者による設定変更（調整）が不可（禁止）であるときには、演出出力設定を変更するための画面表示を行わないようにしてもよい。このように、第１出力量段階が取り得る複数段階には、第２操作により第２出力量段階を設定することを制限する制限段階が含まれ、この制限段階が第１出力量段階として設定されたときに、第２出力量段階を設定することを制限する設定制限を行うようにしてもよい。これにより、遊技者側の出力量設定を制限でき、遊技店が意図しない出力量での演出実行を防止できる。
【０２２８】
さらに、例えばデモ画面の表示中にスティックコントローラ３０の操作桿（レバー）が所定操作されるなどして、演出出力設定を変更するための第２許可条件が成立している期間において、設定切替スイッチ３００のスイッチ位置に対応して遊技者による設定変更（調整）が不可（禁止）であるときには、変更禁止を報知する所定画像を画像表示装置５の画面上に表示するなどして、遊技者による設定変更（調整）が不可（禁止）であることを、遊技者が認識可能に報知してもよい。このように、第２許可条件が成立している期間において、第２出力量段階を設定することを制限する設定制限が行われているときには、第２許可条件が成立していることに対応した対応画像を表示し、このような設定制限が行われていないときには、対応画像を表示しないようにしてもよい。これにより、第２出力段階の設定が制限されていることを遊技者に報知できる。
【０２２９】
あるいは、例えばデモ画面の表示中にスティックコントローラ３０の操作桿（レバー）が所定操作されるなどして、演出出力設定を変更するための第２許可条件が成立している期間において、設定切替スイッチ３００のスイッチ位置に対応して遊技者による設定変更（調整）が不可（禁止）であるときには、所定操作が行われたことに応じて演出出力設定を変更できない旨のブザー音を、スピーカ８Ｌ、８Ｒから出力させてもよい。このように、第２出力量段階を設定することを制限する設定制限が行われているときには、第２操作が行われたことに応じて所定演出を実行してもよい。これにより、第２出力段階の設定が制限されていることを遊技者に報知できる。
【０２３０】
例えば遊技者が遊技機における遊技を行っていないと判定されたときには、スティックコントローラ３０の操作桿（レバー）に対する所定操作（傾倒操作など）により変更された演出出力設定をクリアして、設定切替スイッチ３００のスイッチ位置に応じた演出出力量の初期設定が行われてもよい。このように、設定中の第２出力量段階を所定タイミングにおいてクリアし、初期設定の段階を第２出力量段階として設定してもよい。そして、第１出力量段階は、第１操作に基づいてのみ変更されてもよい。これにより、第２出力量段階の設定が意図せずに残存したまま他の遊技者による遊技などが行われることを防止できる。
【０２３１】
上記実施の形態においては、特図変動時間に対応する飾り図柄の可変表示時間およびリーチ演出の種類等の可変表示態様を示す変動パターンを演出制御用ＣＰＵ１２０に通知するために、可変表示を開始するときに実行されるステップＳ１１２の処理（図６を参照）などにより、１つの変動パターン指定コマンドを送信する例を示したが、２つ乃至それ以上のコマンドにより変動パターンを演出制御用ＣＰＵ１２０に通知するようにしてもよい。具体的には、２つのコマンドにより通知する場合、遊技制御用マイクロコンピュータ１００では、１つ目のコマンドとして、「滑り」や「擬似連」といった可変表示演出の有無等、リーチとなる以前（リーチとならない場合には、いわゆる第２停止の前）の可変表示時間や可変表示態様を示すコマンドを送信し、２つ目のコマンドとして、リーチの種類や再抽選演出の有無等、リーチとなった以降（リーチとならない場合には、いわゆる第２停止の後）の可変表示時間や可変表示態様を示すコマンドを送信するようにしてもよい。この場合、演出制御用ＣＰＵ１２０は２つのコマンドから導かれる可変表示時間に基づいて可変表示における演出制御を行うようにすればよい。なお、遊技制御用マイクロコンピュータ１００の方では２つのコマンドのそれぞれにより可変表示時間を通知し、それぞれのタイミングで実行される具体的な可変表示態様については演出制御用ＣＰＵ１２０の方で選択を行うようにしてもよい。２つのコマンドを送る場合、同一のタイマ割込み内で２つのコマンドを送信するようにしてもよいし、１つ目のコマンドを送信した後、所定時間が経過してから（例えば次のタイマ割込みにおいて）２つ目のコマンドを送信するようにしてもよい。また、それぞれのコマンドで示される可変表示態様はこの例に限定されるものではなく、送信する順序についても適宜変更可能である。このように２つ乃至それ以上のコマンドにより変動パターンを通知することで、変動パターン指定コマンドとして予め記憶して用意すべきデータ量を削減することができる。
【０２３２】
パチンコ遊技機１としては、特別図柄や飾り図柄の可変表示を行わないものであってもよい。一例として、遊技領域に設けられた始動入賞口を通過（進入）した遊技球が検出されたことに基づいて、遊技領域に設けられた可変入賞装置を閉鎖状態（第２状態）から開放状態（第１状態）へと変化させ、可変入賞装置の内部に進入した遊技球が複数の領域のうちの特定領域（Ｖ入賞口）に進入したときに、遊技者にとって有利な大当り遊技状態に制御されるものであってもよい。可変入賞装置を第１状態へと変化させるなどの遊技が行われているときでも所定操作に応じた設定変更の操作を受け付ける一方で、例えば可変入賞装置の内部に進入した遊技球の検出に基づいて操作手段に対する操作に応じた操作演出（例えばＶ入賞期待度の示唆演出）が実行される場合に、設定変更の操作を受け付けないように制限を設けてもよい。
【０２３３】
本発明は、パチンコ遊技機１に限らずスロットマシンなどにも適用できる。スロットマシンは、例えば複数種類の識別情報となる図柄の可変表示といった所定の遊技を行い、その遊技結果に基づいて所定の遊技価値を付与可能となる任意の遊技機であり、より具体的には、１ゲームに対して所定の賭数（メダル枚数またはクレジット数）を設定することによりゲームが開始可能になるとともに、各々が識別可能な複数種類の識別情報（図柄）を可変表示する可変表示装置（例えば複数のリールなど）の表示結果が導出表示されることにより１ゲームが終了し、その表示結果に応じて入賞（例えばチェリー入賞、スイカ入賞、ベル入賞、リプレイ入賞、ＢＢ入賞、ＲＢ入賞など）が発生可能とされた遊技機である。このようなスロットマシンにおいて、スロットマシンの画像表示装置を含めたハードウェア資源と、所定の処理を行うソフトウェアとが協働することにより、上記実施の形態で示されたパチンコ遊技機１が有する特徴の全部または一部を備えるように構成されていればよい。具体的には、例えば図柄の可変表示といった、所定の遊技が実行されているときでも、所定操作に応じて演出出力量の設定変更や演出カスタマイズの設定を有効とする変更を受け付けるものにおいて、所定の操作手段に対する操作に応じた操作演出が実行される場合には、設定変更を行うための操作を受け付けないように制限を設ける特徴などを備えるように構成されていればよい。
【０２３４】
その他にも、遊技機の装置構成やデータ構成、フローチャートで示した処理、画像表示装置における画像表示動作やスピーカにおける音声出力動作さらには遊技効果ランプや装飾用ＬＥＤにおける点灯動作を含めた各種の演出動作などは、本発明の趣旨を逸脱しない範囲で、任意に変更および修正が可能である。加えて、本発明の遊技機は、入賞の発生に基づいて所定数の遊技媒体を景品として払い出す払出式遊技機に限定されるものではなく、遊技媒体を封入し入賞の発生に基づいて得点を付与する封入式遊技機にも適用することができる。スロットマシンは、遊技用価値としてメダル並びにクレジットを用いて賭数が設定されるものに限定されず、遊技用価値として遊技球を用いて賭数を設定するスロットマシンや、遊技用価値としてクレジットのみを使用して賭数を設定する完全クレジット式のスロットマシンであってもよい。遊技球を遊技媒体として用いる場合は、例えば、メダル１枚分を遊技球５個分に対応させることができ、例えば賭数として３を設定する場合は、１５個の遊技球を用いて賭数を設定するものに相当する。パチンコ遊技機１やスロットマシンは、メダルおよび遊技球等の複数種類の遊技用価値のうちのいずれか一種類のみを用いるものに限定されるものではなく、例えばメダルおよび遊技球等の複数種類の遊技用価値を併用できるものであってもよい。例えばスロットマシンは、メダルおよび遊技球等の複数種類の遊技用価値のいずれを用いても賭数を設定してゲームを行うことが可能であり、かつ入賞の発生によってメダルおよび遊技球等の複数種類の遊技用価値のいずれをも払い出し得るものであってもよい。
【０２３５】
本発明を実現するためのプログラムおよびデータは、例えばパチンコ遊技機１やスロットマシンといった、遊技機に含まれるコンピュータ装置などに対して、着脱自在の記録媒体により配布・提供される形態に限定されるものではなく、予めコンピュータ装置などの有する記憶装置にプリインストールしておくことで配布される形態を採っても構わない。さらに、本発明を実現するためのプログラムおよびデータは、通信処理部を設けておくことにより、通信回線等を介して接続されたネットワーク上の、他の機器からダウンロードすることによって配布する形態を採っても構わない。
【０２３６】
そして、ゲームの実行形態も、着脱自在の記録媒体を装着することにより実行するものだけではなく、通信回線等を介してダウンロードしたプログラムおよびデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０２３７】
以上説明したように、上記実施の形態では、例えばＲＡＭ１２２の所定領域に格納（保持）されたカスタマイズ設定情報や出力量設定情報などの設定情報に応じた制御を行って演出を実行する。また、例えば特別図柄や飾り図柄の可変表示といった、遊技の進行に応じた演出が実行されているときでも、スティックコントローラ３０の操作桿（レバー）に対する所定操作（傾倒操作など）やプッシュボタン３１Ｂに対する所定操作（押下操作など）に応じて、演出出力量の設定変更や演出カスタマイズの設定を有効とする変更を受け付ける。ただし、例えばボタン操作の予告演出やレバー操作の予告演出といった、所定の操作手段に対する操作に応じた操作演出が実行される場合には、設定変更を行うための操作を受け付けないように制限を設ける。これにより、遊技者が意図しない設定変更を防止して、遊技者に不信感を与えないようにすることで、遊技興趣を向上させることができる。
【０２３８】
例えば飾り図柄の可変表示が開始されても、ボタン操作の予告演出が開始されるまでの期間といった、遊技の進行に応じた演出が所定態様となるまでの期間において、設定変更を行うための操作を受け付ける。これにより、設定変更の操作により遊技における演出が妨げられることを防止して、遊技興趣を向上させることができる。
【０２３９】
例えばボタン操作の予告演出といった操作演出の実行が終了してから所定時間が経過したときに、設定変更の操作を受け付けないようにした制限を解除する。これにより、操作演出の実行に伴い設定変更の操作が誤って受け付けられることを防止できる。
【０２４０】
例えば画像表示装置５の画面上に、演出出力量や演出カスタマイズの設定状態を特定可能に表示する出力量設定表示エリア５Ｊやモード設定表示エリア５Ｋを設け、ボタン操作の予告演出といった遊技の進行に応じた演出を、こうした表示エリア以外の領域にて実行する。これにより、遊技における演出が妨げられることなく設定変更の操作を受け付けた旨を認識させることができる。
【０２４１】
例えばスティックコントローラ３０やプッシュボタン３１Ｂのような複数の操作手段が設けられた場合に、１の操作手段に対する操作に応じて設定変更の操作を受け付け、他の操作手段に対する操作に応じた操作演出が実行されるときには、こうした設定変更の操作を受け付けないように制限を設ける。これにより、操作演出の実行に伴い設定変更の操作が誤って受け付けられることを防止できる。
【０２４２】
例えば図１７に示すステップＳ２２２にて設定切替スイッチ３００のスイッチ位置に応じて音量設定などの演出出力設定を行った後、ステップＳ２２４にてスティックコントローラ３０の操作桿（レバー）に対する所定操作（傾倒操作など）に応じた演出出力量の設定変更を行う。これにより、設定変更の操作に応じて演出出力量を好適に設定することができる。
【０２４３】
例えば図１０に示すステップＳ２０４Ｂにて簡単スタートの指示ありと判定されたことに対応して、ステップＳ２０５の処理を実行することで簡単スタートによる演出カスタマイズの設定が行われる。また、ステップＳ２１０にて演出カスタマイズを開始するために取得したカスタマイズ情報が有効であると判定されたことに対応して、ステップＳ２１１の処理を実行することでパスワードなどを用いた演出カスタマイズを開始する設定が行われる。これにより、設定変更の操作に応じて演出カスタマイズの設定を有効とする変更を行い、通常時とは異なる特典演出の実行制御を好適に設定することができる。
【０２４４】
例えば設定切替スイッチ３００のスイッチ位置に応じて、遊技者による設定変更（調整）を可能（許容）とするか不可（禁止）とするかを指定する。これにより、遊技者の操作に応じた設定変更の許否を好適に設定することができる。
【符号の説明】
【０２４５】
１  …  パチンコ遊技機
２  …  遊技盤
３  …  遊技機用枠
４Ａ、４Ｂ  …  特別図柄表示装置
５  …  画像表示装置
６Ａ  …  普通入賞球装置
６Ｂ  …  普通可変入賞球装置
７  …  特別可変入賞球装置
８Ｌ、８Ｒ  …  スピーカ
９  …  遊技効果ランプ
１１  …  主基板
１２  …  演出制御基板
１３  …  音声制御基板
１４  …  ランプ制御基板
１５  …  中継基板
２０  …  普通図柄表示器
２１  …  ゲートスイッチ
２２Ａ、２２Ｂ  …  始動口スイッチ
２３  …  カウントスイッチ
３０  …  スティックコントローラ
３１Ｂ  …  プッシュボタン
３７  …  払出制御基板
１００  …  遊技制御用マイクロコンピュータ
１０１、１２１  …  ＲＯＭ
１０２、１２２  …  ＲＡＭ
１０３  …  ＣＰＵ
１０４、１２４  …  乱数回路
１０５、１２５  …  Ｉ／Ｏ
１２０  …  演出制御用ＣＰＵ
１２３  …  表示制御部
３００  …  設定切替スイッチ
【図１】
2015080586.tif 000003
【図２】
2015080586.tif 000004
【図４】
2015080586.tif 000005
【図５】
2015080586.tif 000006
【図６】
2015080586.tif 000007
【図７】
2015080586.tif 000008
【図８】
2015080586.tif 000009
【図９】
2015080586.tif 000010
【図１０】
2015080586.tif 000011
【図１１】
2015080586.tif 000012
【図１２】
2015080586.tif 000013
【図１３】
2015080586.tif 000014
【図１４】
2015080586.tif 000015
【図１５】
2015080586.tif 000016
【図１６】
2015080586.tif 000017
【図１７】
2015080586.tif 000018
【図１８】
2015080586.tif 000019
【図１９】
2015080586.tif 000020
【図３】
2015080586.tif 000021
【図２０】
2015080586.tif 000022
【図２１】
2015080586.tif 000023